(57)【要約】【課題】  磁気テープ・ヘッド用書き込みトラックの幅を決定する方法及びシステムを提供する。【解決手段】  バックグラウンド信号とは異なるフォアグラウンド磁気トラック信号を磁気テープ上に書き込むことによって書き込みトラックの幅が測定される。磁気テープ読み取りヘッドが、フォアグラウンド磁気トラック信号における一方のエッジを越えて横方向に移動し、そしてフォアグラウンド磁気トラック信号の反対のエッジを越えて横方向に移動する。読み取りヘッドがフォアグラウンド・トラック信号の一方のエッジ及び反対のエッジに遭遇したことをロジックが検出する。ロジックは、独立位置センサから、フォアグラウンド・トラック信号の一方のエッジにおける読み取りヘッドの横方向位置と反対のエッジにおける読み取りヘッドの横方向位置との間の横方向距離としてフォアグラウンド・トラック信号の幅を決定する。【選択図】  図１
2004213873.tif 000002
【特許請求の範囲】
【請求項１】
バックグラウンド信号を有する磁気テープ上に長手方向に書き込まれ、前記バックグラウンド信号とは異なる信号から成るフォアグラウンド磁気トラック信号の幅を決定するためのシステムであって、
磁気テープ読み取りヘッドと、
前記磁気テープ読み取りヘッドが前記フォアグラウンド磁気トラック信号及び前記バックグラウンド信号を読み取り得るように、前記磁気テープが前記磁気テープ読み取りヘッドに関して長手方向に移動するとき、前記長手方向に書き込まれたフォアグラウンド磁気トラック信号に関して横方向に磁気テープ読み取りヘッドを移動させるためのサーボ・システムにして、前記横方向の移動は、前記磁気テープ読み取りヘッドが、少なくとも１回、前記フォアグラウンド磁気トラック信号の一方の側に且つ前記フォアグラウンド磁気トラック信号の一方のエッジから離れるように全体的に横方向に移動し、更に、前記フォアグラウンド磁気トラック信号を横切って横方向に移動し、更に、前記フォアグラウンド磁気トラック信号の反対側に且つ前記フォアグラウンド磁気トラック信号の反対エッジから離れるように全体的に横方向に移動し、それによって前記磁気テープ読み取りヘッドが前記異なる信号を読み取るような移動である、サーボ・システムと、
前記移動する磁気テープ読み取りヘッドの横方向位置を検出するための独立位置センサと、
前記磁気テープ読み取りヘッドからの検出された信号及び前記独立位置センサからの検出された信号を受け取るためのロジックと、
を含み、前記ロジックは、
前記磁気テープ読み取りヘッドが前記フォアグラウンド磁気トラック信号の前記一方のエッジに遭遇したことを検出し、
前記独立位置センサから、前記フォアグラウンド磁気トラック信号の前記検出された一方のエッジにおける前記移動する磁気テープ読み取りヘッドの前記横方向位置を決定し、
前記磁気テープ読み取りヘッドが前記フォアグラウンド磁気トラック信号の前記反対エッジに遭遇したことを検出し、
前記独立位置センサから、前記フォアグラウンド磁気トラック信号の前記検出された反対エッジにおける前記移動する磁気テープ読み取りヘッドの前記横方向位置を決定し、
前記フォアグラウンド磁気トラック信号の前記検出された一方のエッジにおける前記移動する磁気テープ読み取りヘッドの前記決定された横方向位置と、前記フォアグラウンド磁気トラック信号の前記検出された反対エッジにおける前記移動する磁気テープ読み取りヘッドの前記決定された横方向位置との間の横方向距離を決定する、
ことを含む、システム。
【請求項２】
前記ロジックは、前記磁気テープ読み取りヘッドが前記フォアグラウンド磁気トラック信号の前記一方のエッジに遭遇したことを検出した場合及び前記フォアグラウンド磁気トラック信号の前記反対エッジに遭遇したことを検出した場合、それぞれ、前記フォアグラウンド磁気トラック信号及び前記バックグラウンド信号の間の比率を測定することを含み、
前記磁気テープ読み取りヘッドが前記フォアグラウンド磁気トラック信号の前記一方の側に且つ前記フォアグラウンド磁気トラック信号の前記一方のエッジから離れるように全体的に横方向に移動するときの前記比率、及び前記フォアグラウンド磁気トラック信号の前記反対側に且つ前記フォアグラウンド磁気トラック信号の前記反対エッジから離れるように全体的に横方向に移動するときの前記比率が、それぞれ、前記フォアグラウンド磁気トラック信号の最小値を表す、
請求項１に記載のシステム。
【請求項３】
前記ロジックは、前記磁気テープ読み取りヘッドが前記フォアグラウンド磁気トラック信号の前記一方のエッジに遭遇したこと検出した場合及び前記磁気テープ読み取りヘッドが前記フォアグラウンド磁気トラック信号の前記反対エッジに遭遇したことを検出した場合、それぞれ、前記フォアグラウンド磁気トラック信号及び前記バックグラウンド信号の間の前記測定された比率における変曲点を検出することを含む、請求項２に記載のシステム。
【請求項４】
前記サーボ・システムは、前記長手方向に書き込まれたフォアグラウンド磁気トラック信号に関して横方向に前記磁気テープ読み取りヘッドを移動させ、更に、前記磁気テープ読み取りヘッドが、少なくとも１回、前記フォアグラウンド磁気トラック信号の一方の側に且つ前記フォアグラウンド磁気トラック信号の一方のエッジから離れるように全体的に横方向に移動し、更に、前記フォアグラウンド磁気トラック信号を横切って横方向に移動し、更に、前記フォアグラウンド磁気トラック信号の反対側に且つ前記フォアグラウンド磁気トラック信号の反対エッジから離れるように全体的に横方向に移動するような所定の正弦波状単一周波数パターンで変更されるセット・ポイントで動作し、
前記ロジックは、更に、
前記独立位置センサによって検出されディジタル的に決定された前記横方向位置を周波数成分に変換し、
前記横方向位置の前記周波数成分から前記所定の正弦波状単一周波数パターンを選択し、
前記横方向位置の周波数成分を独立位置センサの横方向位置に変換し、
前記磁気テープ読み取りヘッドからの前記フォアグラウンド磁気トラック信号及び前記バックグラウンド信号の間のディジタル的に決定された比率を測定し、
前記ディジタル的に決定された比率を周波数成分に変換し、
前記比率の前記周波数成分から前記所定の正弦波状単一周波数パターンを選択し、
前記比率の周波数成分を前記フォアグラウンド磁気トラック信号及び前記バックグラウンド信号の比率に変換し、
前記所定の正弦波状単一周波数パターンを取り消し、前記変換された独立位置センサの横方向位置に及び前記フォアグラウンド磁気トラック信号及び前記バックグラウンド信号の前記変換された比率に曲線を適合させる、
請求項３に記載のシステム。
【請求項５】
前記磁気テープ読み取りヘッドは前記サーボ・システムのサーボ読み取りヘッドを含み、前記磁気テープは更に前記フォアグラウンド磁気トラック信号に平行な且つ前記フォアグラウンド磁気トラック信号から横方向に離れた少なくとも１つのサーボ・トラックを含み、
前記サーボ・システムは、前記独立位置センサによって測定されるように、前記磁気テープ読み取りヘッドを前記少なくとも１つのサーボ・トラックから前記フォアグラウンド磁気トラック信号まで横方向に移動させる、
請求項１に記載のシステム。
【請求項６】
前記磁気テープ読み取りヘッドを前記フォアグラウンド磁気トラック信号の一方の側に且つ前記フォアグラウンド磁気トラック信号の一方のエッジから離れるように全体的に横方向に移動させ、更に、前記フォアグラウンド磁気トラック信号を横切って横方向に移動させ、更に、前記フォアグラウンド磁気トラック信号の反対側に且つ前記フォアグラウンド磁気トラック信号の反対エッジから離れるように全体的に横方向に移動させる各ステージの間、前記バックグラウンド信号が前記磁気テープ読み取りヘッドによって読み取られるように前記磁気テープ読み取りヘッドが前記フォアグラウンド磁気トラック信号の幅よりも広い、請求項１に記載のシステム。
【請求項７】
前記ロジックは、更に、
前記決定された横方向距離が磁気トラック信号における中心線相互間の名目上の距離よりも大きいかどうかを前記決定された横方向距離から決定し、
前記決定において肯定結果が得られた場合、前記フォアグラウンド磁気トラック信号の幅で磁気トラックを書き込み得る磁気テープ・ドライブの前記中心線を前記幅における磁気トラック間のシングリングに適合するように制御するための設定を前記サーボ・システムに施し、
前記決定において肯定結果が得られなかった場合、前記磁気テープ・ドライブの前記中心線を前記名目上の距離で制御するための設定を前記サーボ・システムに施す、
請求項１に記載のシステム。
【請求項８】
コンピュータ可読プログラム・コードを組み込まれたプログラム可能コンピュータによって使用可能であり、バックグラウンド信号を有する磁気テープ上に長手方向に書き込まれ、前記バックグラウンド信号とは異なる信号から成るフォアグラウンド磁気トラック信号の幅を決定するためのコンピュータ・プログラムであって、
前記磁気テープ読み取りヘッドが前記フォアグラウンド磁気トラック信号及び前記バックグラウンド信号を読み取り得るように、前記磁気テープが前記磁気テープ読み取りヘッドに関して長手方向に移動するとき、前記長手方向に書き込まれたフォアグラウンド磁気トラック信号に関して横方向に磁気テープ読み取りヘッドをコンピュータ・プロセッサに移動させるコンピュータ可読プログラム・コードにして、前記横方向の移動は、前記磁気テープ読み取りヘッドが、少なくとも１回、前記フォアグラウンド磁気トラック信号の一方の側に且つ前記フォアグラウンド磁気トラック信号の一方のエッジから離れるように全体的に横方向に移動し、更に、前記フォアグラウンド磁気トラック信号を横切って横方向に移動し、更に、前記フォアグラウンド磁気トラック信号の反対側に且つ前記フォアグラウンド磁気トラック信号の反対エッジから離れるように全体的に横方向に移動し、それによって前記磁気テープ読み取りヘッドが前記異なる信号を読み取り得るような移動であり、独立位置センサが前記移動する磁気テープ読み取りヘッドの横方向位置を検出する、コンピュータ可読プログラム・コードと、
前記磁気テープ読み取りヘッドが前記フォアグラウンド磁気トラック信号の前記一方のエッジに遭遇したことをコンピュータ・プロセッサに検出させるコンピュータ可読プログラム・コードと、
前記独立位置センサから、前記フォアグラウンド磁気トラック信号の前記検出された一方のエッジにおける前記移動する磁気テープ読み取りヘッドの前記横方向位置をコンピュータ・プロセッサに決定させるコンピュータ可読プログラム・コードと、
前記磁気テープ読み取りヘッドが前記フォアグラウンド磁気トラック信号の前記反対エッジに遭遇したことをコンピュータ・プロセッサに検出させるコンピュータ可読プログラム・コードと、
前記独立位置センサから、前記フォアグラウンド磁気トラック信号の前記検出された反対エッジにおける前記移動する磁気テープ読み取りヘッドの前記横方向位置をコンピュータ・プロセッサに決定させるコンピュータ可読プログラム・コードと、
前記フォアグラウンド磁気トラック信号の前記検出された一方のエッジにおける前記移動する磁気テープ読み取りヘッドの前記決定された横方向位置と、前記フォアグラウンド磁気トラック信号の前記検出された反対エッジにおける前記移動する磁気テープ読み取りヘッドの前記決定された横方向位置との間の横方向距離をコンピュータ・プロセッサに決定させるコンピュータ可読プログラム・コードと、
を含む、コンピュータ・プログラム。
【請求項９】
前記磁気テープ読み取りヘッドが前記フォアグラウンド磁気トラック信号の前記一方のエッジに遭遇したことをコンピュータ・プロセッサに検出させる前記コンピュータ可読プログラム・コード及び前記独立位置センサから、前記フォアグラウンド磁気トラック信号の前記検出された一方のエッジにおける前記移動する磁気テープ読み取りヘッドの前記横方向位置をコンピュータ・プロセッサに決定させる前記コンピュータ可読プログラム・コードは、それぞれ、前記フォアグラウンド磁気トラック信号及び前記バックグラウンド信号の間の比率をコンピュータ・プロセッサに測定させるコンピュータ可読プログラム・コードを含み、
前記磁気テープ読み取りヘッドが前記フォアグラウンド磁気トラック信号の一方の側に且つ前記フォアグラウンド磁気トラック信号の一方のエッジから離れるように全体的に横方向に移動するときの前記比率、及び前記フォアグラウンド磁気トラック信号の反対側に且つ前記フォアグラウンド磁気トラック信号の反対エッジから離れるように全体的に横方向に移動するときの前記比率が、それぞれ、前記フォアグラウンド磁気トラック信号の最小値を表す、
請求項８に記載のコンピュータ・プログラム。
【請求項１０】
前記磁気テープ読み取りヘッドが前記フォアグラウンド磁気トラック信号の前記一方のエッジに遭遇したことをコンピュータ・プロセッサに検出させる前記コンピュータ可読プログラム・コード及び前記磁気テープ読み取りヘッドが前記フォアグラウンド磁気トラック信号の前記反対エッジに遭遇したことをコンピュータ・プロセッサに検出させる前記コンピュータ可読プログラム・コードが、それぞれ、前記フォアグラウンド磁気トラック信号及び前記バックグラウンド信号の間の前記測定された比率における変曲点をコンピュータ・プロセッサに検出させるコンピュータ可読プログラム・コードを含む、請求項９に記載のコンピュータ・プログラム。
【請求項１１】
前記長手方向に書き込まれたフォアグラウンド磁気トラック信号に関して横方向に磁気テープ読み取りヘッドをコンピュータ・プロセッサに移動させる前記コンピュータ可読プログラム・コードは、更に、前記磁気テープ読み取りヘッドが、少なくとも１回、前記フォアグラウンド磁気トラック信号の一方の側に且つ前記フォアグラウンド磁気トラック信号の一方のエッジから離れるように全体的に横方向に移動し、更に、前記フォアグラウンド磁気トラック信号を横切って横方向に移動し、更に、前記フォアグラウンド磁気トラック信号の反対側に且つ前記フォアグラウンド磁気トラック信号の反対エッジから離れるように全体的に横方向に移動するような所定の正弦波単一周波数パターンで変更されるセット・ポイントにおいてコンピュータ・プロセッサに前記磁気テープ読み取りヘッドを横方向に移動させるコンピュータ可読プログラム・コードを含み、
前記独立位置センサから、前記フォアグラウンド磁気トラック信号の前記検出された一方のエッジにおける前記移動する磁気テープ読み取りヘッドの前記横方向位置をコンピュータ・プロセッサに決定させる前記コンピュータ可読プログラム・コード及び前記フォアグラウンド磁気トラック信号の前記検出された反対エッジにおける前記移動する磁気テープ読み取りヘッドの前記横方向位置をコンピュータ・プロセッサに決定させる前記コンピュータ可読プログラム・コードは、更に、
ディジタル的に決定された前記横方向位置を周波数成分にコンピュータ・プロセッサに変換させるコンピュータ可読プログラム・コードと、
前記横方向位置の前記周波数成分から前記所定の正弦波単一周波数パターンをコンピュータ・プロセッサに選択させるコンピュータ可読プログラム・コードと、
前記横方向位置の周波数成分を独立位置センサの横方向位置にコンピュータ・プロセッサに変換させるコンピュータ可読プログラム・コードと、
前記磁気テープ読み取りヘッドからの前記フォアグラウンド磁気トラック信号及び前記バックグラウンド信号の間のディジタル的に決定された比率をコンピュータ・プロセッサに測定させるコンピュータ可読プログラム・コードと、
前記ディジタル的に決定された比率を周波数成分にコンピュータ・プロセッサに変換させるコンピュータ可読プログラム・コードと、
前記比率の前記周波数成分から前記所定の正弦波単一周波数パターンをコンピュータ・プロセッサに選択させるコンピュータ可読プログラム・コードと、
前記比率の周波数成分を前記フォアグラウンド磁気トラック信号及び前記バックグラウンド信号の比率にコンピュータ・プロセッサに変換させるコンピュータ可読プログラム・コードと、
前記所定の正弦波単一周波数パターンをコンピュータ・プロセッサに取り消させ、前記変換された独立位置センサの横方向位置に及び前記フォアグラウンド磁気トラック信号及び前記バックグラウンド信号の前記変換された比率に曲線をコンピュータ・プログラムに適合させるコンピュータ可読プログラム・コードと、
を含む、請求項１０に記載のコンピュータ・プログラム。
【請求項１２】
前記磁気テープ読み取りヘッドはサーボ読み取りヘッドを含み、前記磁気テープは前記フォアグラウンド磁気トラック信号に平行な且つ前記フォアグラウンド磁気トラック信号から横方向に離れた少なくとも１つのサーボ・トラックを含み、
前記長手方向に書き込まれたフォアグラウンド磁気トラック信号に関して横方向に磁気テープ読み取りヘッドをコンピュータ・プロセッサに移動させる前記コンピュータ可読プログラム・コードは、前記独立位置センサによって測定されるように、前記サーボ読み取りヘッドを前記少なくとも１つのサーボ・トラックから前記フォアグラウンド磁気トラック信号まで横方向に移動させることを含む、
請求項８に記載のコンピュータ・プログラム。
【請求項１３】
前記決定された横方向距離が磁気トラック信号における中心線相互間の名目上の距離よりも大きいかどうかを前記決定された横方向距離からコンピュータ・プロセッサに決定させるコンピュータ可読プログラム・コードと、
前記決定において肯定結果が得られた場合、前記フォアグラウンド磁気トラック信号の幅で磁気トラックを書き込み得る磁気テープ・ドライブの前記中心線を前記幅における磁気トラック間のシングリングに適合するように制御するための設定を前記サーボ・システムに対してコンピュータ・プロセッサに施させるコンピュータ可読プログラム・コードと、
前記決定において肯定結果が得られなかった場合、前記磁気テープ・ドライブの前記中心線を前記名目上の距離で制御するための設定を前記サーボ・システムに対してコンピュータ・プロセッサに施させるコンピュータ可読プログラム・コードと
を更に含む、請求項８に記載のコンピュータ・プログラム。
【請求項１４】
バックグラウンド信号を有する磁気テープ上に長手方向に書き込まれ、前記バックグラウンド信号とは異なる信号から成るフォアグラウンド磁気トラック信号の幅を決定するための方法であって、
磁気テープ読み取りヘッドが前記フォアグラウンド磁気トラック信号及び前記バックグラウンド信号を読み取り得るように、前記磁気テープが前記磁気テープ読み取りヘッドに関して長手方向に移動するとき、前記長手方向に書き込まれたフォアグラウンド磁気トラック信号に関して磁気テープ読み取りヘッドを横方向に移動させるステップにして、前記横方向の移動は、前記磁気テープ読み取りヘッドが、少なくとも１回、前記フォアグラウンド磁気トラック信号の一方の側に且つ前記フォアグラウンド磁気トラック信号の一方のエッジから離れるように全体的に横方向に移動し、更に、前記フォアグラウンド磁気トラック信号を横切って横方向に移動し、更に、前記フォアグラウンド磁気トラック信号の反対側に且つ前記フォアグラウンド磁気トラック信号の反対エッジから離れるように全体的に横方向に移動し、それによって前記磁気テープ読み取りヘッドが前記異なる信号を読み取るような移動である、ステップと、
独立位置センサを介して前記移動する磁気テープ読み取りヘッドの横方向位置を検出するステップと、
前記磁気テープ読み取りヘッドが前記フォアグラウンド磁気トラック信号の前記一方のエッジに遭遇したことを検出するステップと、
前記独立位置センサから、前記フォアグラウンド磁気トラック信号の前記検出された一方のエッジにおける前記移動する磁気テープ読み取りヘッドの前記横方向位置を決定するステップと、
前記磁気テープ読み取りヘッドが前記フォアグラウンド磁気トラック信号の前記反対エッジに遭遇したことを検出するステップと、
前記独立位置センサから、前記フォアグラウンド磁気トラック信号の前記検出された反対エッジにおける前記移動する磁気テープ読み取りヘッドの前記横方向位置を決定するステップと、
前記フォアグラウンド磁気トラック信号の前記検出された一方のエッジにおける前記移動する磁気テープ読み取りヘッドの前記決定された横方向位置と、前記フォアグラウンド磁気トラック信号の前記検出された反対エッジにおける前記移動する磁気テープ読み取りヘッドの前記決定された横方向位置との間の横方向距離を決定するステップと、
を含む、方法。
【請求項１５】
前記磁気テープ読み取りヘッドが前記フォアグラウンド磁気トラック信号の前記一方のエッジに遭遇したことを検出する前記ステップ及び前記磁気テープ読み取りヘッドが前記フォアグラウンド磁気トラック信号の前記反対エッジに遭遇したことを検出する前記ステップが、それぞれ、前記フォアグラウンド磁気トラック信号及び前記バックグラウンド信号の間の比率を測定するステップを含み、
前記磁気テープ読み取りヘッドが前記フォアグラウンド磁気トラック信号の前記一方の側に且つ前記フォアグラウンド磁気トラック信号の前記一方のエッジから離れるように全体的に横方向に移動するときの前記比率、及び前記フォアグラウンド磁気トラック信号の前記反対側に且つ前記フォアグラウンド磁気トラック信号の前記反対エッジから離れるように全体的に横方向に移動するときの前記比率が、それぞれ、前記フォアグラウンド磁気トラック信号の最小値を表す、
請求項１４に記載の方法。
【請求項１６】
前記磁気テープ読み取りヘッドが前記フォアグラウンド磁気トラック信号の前記一方のエッジに遭遇したことを検出する前記ステップ、及び前記フォアグラウンド磁気トラック信号の前記反対エッジに遭遇したことを検出する前記ステップは、それぞれ、前記フォアグラウンド磁気トラック信号及び前記バックグラウンド信号の間の前記測定された比率における変曲点を検出するステップを含む、請求項１５に記載の方法。
【請求項１７】
前記長手方向に書き込まれたフォアグラウンド磁気トラック信号に関して横方向に磁気テープ読み取りヘッドを移動させる前記ステップは、前記磁気テープ読み取りヘッドが、少なくとも１回、前記フォアグラウンド磁気トラック信号の一方の側に且つ前記フォアグラウンド磁気トラック信号の一方のエッジから離れるように全体的に横方向に移動し、更に、前記フォアグラウンド磁気トラック信号を横切って横方向に移動し、更に、前記フォアグラウンド磁気トラック信号の反対側に且つ前記フォアグラウンド磁気トラック信号の反対エッジから離れるように全体的に横方向に移動するような所定の正弦波状単一周波数パターンで変更されるセット・ポイントでサーボ・システムを操作し、
独立位置センサを介して前記移動する磁気テープ読み取りヘッドの横方向位置を検出するステップは、更に、
前記横方向位置をディジタル的に決定するステップと、
前記ディジタル的に決定された横方向位置を周波数成分に変換するステップと、
前記横方向位置の前記周波数成分から前記所定の正弦波状単一周波数パターンを選択するステップと、
前記横方向位置の周波数成分を独立位置センサの横方向位置に変換するステップと、
前記磁気テープ読み取りヘッドからの前記フォアグラウンド磁気トラック信号及び前記バックグラウンド信号の間のディジタル的に決定された比率を測定するステップと、
前記ディジタル的に決定された比率を周波数成分に変換するステップと、
前記比率の前記周波数成分から前記所定の正弦波状単一周波数パターンを選択するステップと、
前記比率の周波数成分を前記フォアグラウンド磁気トラック信号及び前記バックグラウンド信号の比率に変換するステップと、
前記所定の正弦波状単一周波数パターンを取り消し、前記変換された独立位置センサの横方向位置に及び前記フォアグラウンド磁気トラック信号及び前記バックグラウンド信号の前記変換された比率に曲線を適合させるステップと、
を含む、請求項１５に記載の方法。
【請求項１８】
前記磁気テープ読み取りヘッドはサーボ読み取りヘッドを含み、前記磁気テープは更に前記フォアグラウンド磁気トラック信号に平行な且つ前記フォアグラウンド磁気トラック信号から横方向に離れた少なくとも１つのサーボ・トラックを含み、
前記長手方向に書き込まれたフォアグラウンド磁気トラック信号に関して横方向に磁気テープ読み取りヘッドを移動させる前記ステップは、更に、前記独立位置センサによって測定されるように、前記サーボ読み取りヘッドを前記少なくとも１つのサーボ・トラックから前記フォアグラウンド磁気トラック信号まで横方向に移動させる、
請求項１４に記載の方法。
【請求項１９】
前記長手方向に書き込まれたフォアグラウンド磁気トラック信号に関して磁気テープ読み取りヘッドを横方向に移動させる前記ステップのうち、前記磁気テープ読み取りヘッドを前記フォアグラウンド磁気トラック信号の一方の側に且つ前記フォアグラウンド磁気トラック信号の一方のエッジから離れるように全体的に横方向に移動させ、更に、前記フォアグラウンド磁気トラック信号を横切って横方向に移動させ、更に、前記フォアグラウンド磁気トラック信号の反対側に且つ前記フォアグラウンド磁気トラック信号の反対エッジから離れるように全体的に横方向に移動させる各ステージの間、前記バックグラウンド信号が前記磁気テープ読み取りヘッドによって読み取られるように前記磁気テープ読み取りヘッドが前記フォアグラウンド磁気トラック信号の幅よりも広い、請求項１４記載の方法。
【請求項２０】
前記決定された横方向距離が磁気トラック信号における中心線相互間の名目上の距離よりも大きいかどうかを前記決定された横方向距離から決定するステップと、
前記決定において肯定結果が得られた場合、前記フォアグラウンド磁気トラック信号の幅で磁気トラックを書き込み得る磁気テープ・ドライブの前記中心線を前記幅における磁気トラック間のシングリングに適合するように制御するための設定を前記サーボ・システムに施すステップと、
前記決定において肯定結果が得られなかった場合、それが肯定されない場合、前記磁気テープ・ドライブの前記中心線を前記名目上の距離で制御するための設定を前記サーボ・システムに施すステップと、
を更に含む、請求項１４に記載の方法。
【発明の詳細な説明】
【技術分野】
【０００１】
本発明は、磁気テープ上にデータをストアするための磁気テープ・システムに関し、詳しく言えば、磁気テープ・ヘッド用の書き込みトラックの幅を決定することに関する。なお、磁気テープには複数の平行トラックが書き込まれる。
【背景技術】
【０００２】
磁気テープ・システムは、データをストアするための便利な且つ低コストの手段を提供する。１つの例として、携帯用磁気テープ・カートリッジは１つのデータ処理システムのデータ・ストレージ・ドライブからストレージ機構に携行可能であり、必要な場合には、同じ又は別のデータ処理システムのデータ・ストレージ・ドライブに携行可能である。もう１つの例として、大量の磁気テープ・カートリッジが自動データ・ストレージ・ライブラリのストレージ・シェルフにストア可能であり、データをアクセスする必要があるときにストレージ・シェルフからアクセス可能である。
【０００３】
磁気テープのデータ記憶容量を増大させるという絶えざる要求が存在する。データ記憶容量を増大させる１つの手段は、平行データ・トラックの数を増加させることである。しかし、平行トラックの数が増加すると、トラック幅及び隣接トラック間の誤差に対する限界がそれに対応して小さくなる。例えば、磁気テープ・システムは、古い磁気テープ・システムの幅の１／３であるトラック・パターン（相互に隣接するトラックの中心線間の間隔）を有し、これは、トラックがより狭く書き込まれること及び隣接するトラック間の間隔に対する許容量が今やほとんどないか或いはまったくないことを意味する。トラック間の間隔がない場合、トラックは、相互に隣接するトラックにおける中心線間の間隔よりも大きい幅を有する最近書き込まれたトラックが、隣接する書き込み済みのトラックの一端を部分的に上書きするという「部分的に重畳する（shingled）」ことがあり得る。その結果、今や、その隣接する書き込み済みトラックの実際のトラック幅は、それが書き込まれた時よりも小さくなり、そのトラックの中心線が動いてしまっている。それとは別に、書き込み済みのトラック幅が読み取りヘッドにとって狭すぎることがあり、読み取りヘッドはトラック間から過剰なノイズを読み取るであろう。更にそれとは別に、書き込み済みのトラックの幅が広すぎて、書き込み済みトラックが隣接のトラックを過剰に上書きし、その上書きされたトラックの読み取りができなくなることがあるであろう。
【０００４】
一般に、テープ・ヘッドは薄膜のプロセスで製造され、多数の書き込みギャップ及び多数の読み取りギャップを有する。書き込みギャップは（読み取りギャップも）テープ・ヘッド間の幅がわずかに変化する傾向があり、種々のエッジ又はフリンジング（fringing）効果のために、書き込みギャップが持つ有効幅は、テープ・ヘッド間で変化する傾向がある。多くの場合、その有効幅は、たとえテープ・ヘッド間での相違はあっても、１つのテープ・ヘッド内ではほぼ同じである。テープ・ヘッド書き込みギャップの幅を決定するために、テープ・ヘッドがテスト・テープ上にトラックを書き込むように操作され、磁性流体がテスト・テープ上に配置され、そしてオペレータがトラック幅を見積もるために顕微鏡を使ってそのテスト・テープを読み取る。その結果、実際の磁気エッジがどこにあるかをオペレータが磁性流体における磁性粒子から見積もらなければならないという潜在的な誤差状態が生じ得る。
【０００５】
そこで、その結果得られた見積りトラック幅がテープ・ヘッドに与えられ、テープ・ドライブがアセンブルされた後、テープ・ヘッドが装着されるテープ・ドライブのサーボ・システムのデータ・ベースに、その見積りトラック幅が入れられる。潜在的な誤差に対する更なる原因は、各ヘッドに対して正しいデータが与えられることを保証することを含み、しかも、ヘッドはテスタにおける時よりも多くの又は少ないスキューを持ち得るので、有効トラック幅を異ならせることがある。
【０００６】
未知の幅を有するヘッドの幅の測定は、既知の幅の記録済みパターンと比較することによって試みられていたと思われる。１つの例として、日本国特許出願２００１（特願平１３）−２９１２７は、ヘッド幅を見積もるために、ヘリカル・スキャン装置が長手方向のテスト・トラックを横切るために要する時間を測定しているように思える。もう１つの例として、日本国特許出願同１２０８１７は、ヘッド幅を見積もるためにフロッピ・ディスク・ヘッドがヘリカル・テスト・トラックを横切るために要する時間を測定しているように思える。そのプロセスは、長手方向記録方式による長手方向トラックを測定するようには作用し得ない。
【発明の開示】
【発明が解決しようとする課題】
【０００７】
本発明は、バックグラウンド信号を有する磁気テープ上に水平方向に書き込まれたフォアグラウンド磁気トラック信号の幅を決定するためのシステム、方法、及びコンピュータ・プログラムを提供するものである。なお、フォアグラウンド磁気トラック信号は、バックグラウンド信号とは異なる信号から成る。フォアグラウンド磁気トラック信号は、テストされる書き込みギャップによっても書き込み可能である。
【課題を解決するための手段】
【０００８】
１つの実施例では、システムは、磁気テープ読み取りヘッド、及び長手方向に書き込まれたフォアグラウンド磁気トラック信号に関して横方向に磁気テープ読み取りヘッドを移動させるためのサーボ・システムを含む。従って、磁気テープ読み取りヘッドは、フォアグラウンド磁気トラック信号を読み取り得るし、バックグラウンド信号も読み取り得る。横方向の移動は、磁気テープ読み取りヘッドが、少なくとも１回、フォアグラウンド磁気トラック信号の一方の側に且つフォアグラウンド磁気トラック信号の一方のエッジから離れるように全体的に横方向に移動し、そしてフォアグラウンド磁気トラック信号を横切って横方向に移動し、更に、フォアグラウンド磁気トラック信号の反対側に且つフォアグラウンド磁気トラック信号の反対エッジから離れるように全体的に横方向に移動する。それによって磁気テープ読み取りヘッドは異なる信号を読み取る。
【０００９】
独立位置センサがその移動する磁気テープ読み取りヘッドの横方向位置を検出する。コンピュータ実装のプログラム製品でよいロジックが磁気読み取りヘッドからの検出された信号及び独立位置センサからの検出された信号を受け取るために設けられる。そのロジックは、磁気読み取りヘッドがフォアグラウンド磁気トラック信号の一方のエッジに遭遇したことを検出し、独立位置センサから、フォアグラウンド磁気トラック信号の検出された一方のエッジにおけるその移動する磁気テープ読み取りヘッドの横方向位置を決定し、磁気テープ読み取りヘッドがフォアグラウンド磁気トラック信号の反対エッジに遭遇したことを検出し、そしてその独立位置センサから、フォアグラウンド磁気トラック信号の検出された反対エッジにおけるその移動する磁気テープ読み取りヘッドの横方向位置を決定する。
【００１０】
そのロジックは、フォアグラウンド磁気トラック信号の検出された一方のエッジにおける移動する磁気テープ読み取りヘッドの決定された横方向位置と、フォアグラウンド磁気トラック信号の検出された反対エッジにおける移動する磁気テープ読み取りヘッドの決定された横方向位置との間の横方向の距離としてフォアグラウンド磁気トラック信号の幅を決定する。
【００１１】
もう１つの実施例では、ロジックは、磁気テープ読み取りヘッドがフォアグラウンド磁気トラック信号の一方のエッジに遭遇したこと及び反対エッジに遭遇したことを検出し、それぞれ、フォアグラウンド磁気トラック信号及びバックグラウンド信号の間の比率を測定することを含む。磁気テープ読み取りヘッドがフォアグラウンド磁気トラック信号の一方の側に且つフォアグラウンド磁気トラック信号の一方のエッジから離れて全体的に横方向に移動し、そしてフォアグラウンド磁気トラック信号の反対側に且つフォアグラウンド磁気トラック信号の反対エッジから離れるように全体的に横方向に移動するときの比率は、それぞれ、フォアグラウンド磁気トラック信号の最小値を表す。
【００１２】
更なる実施例では、ロジックは、更に、磁気テープ読み取りヘッドがフォアグラウンド磁気トラック信号の一方のエッジに遭遇したこと及び反対エッジに遭遇したことを検出し、それぞれ、フォアグラウンド磁気トラック信号及びバックグラウンド信号の間の測定された比率における変曲点（inflection）を検出することを含む。
【００１３】
更にもう１つの実施例では、磁気テープ読み取りヘッドはサーボ・システムのサーボ読み取りヘッドを含み、磁気テープは、更に、フォアグラウンド磁気トラック信号に平行な且つフォアグラウンド磁気トラック信号から横方向にオフセットした少なくとも１つのサーボ・トラックを含む。更に、サーボ・システムは、独立位置センサによって測定されるように磁気テープ読み取りヘッドをサーボ・トラックからフォアグラウンド磁気トラック信号まで横方向に移動する。
【００１４】
更なる実施例では、磁気テープ読み取りヘッドを横方向に移動する各ステージ、即ち、フォアグラウンド磁気トラック信号の一方の側に且つフォアグラウンド磁気トラック信号の一方のエッジから離れるように全体的に横方向に移動するステージ、フォアグラウンド磁気トラック信号を横切って横方向に移動するステージ、及びフォアグラウンド磁気トラック信号の反対側に側に且つフォアグラウンド磁気トラック信号の反対エッジから離れるように全体的横方向に移動するステージの期間中、バックグラウンド信号が磁気テープ読み取りヘッドによって読み取られるように、トラック幅を測定するために使用されるその磁気テープ読み取りヘッドはフォアグラウンド磁気トラック信号の幅よりも広い。当業者には知られているように、トラックから情報を読み取るための一般的な読み取りヘッドは書き込み済みのパターンよりも幅広くなってはならないので、この場合における読み取りヘッドはその一般的な読み取りヘッドではない。
【００１５】
別の局面では、ロジックは、更に、決定された横方向距離が磁気トラック信号の中心線相互間における正規の距離よりも大きいかどうかをその決定された横方向距離から決定し、これが肯定される場合、フォアグラウンド磁気トラック信号の幅で磁気トラックを書き込み得る磁気テープ・ドライブの中心線をその幅における磁気トラック間のシングリング（shingling）に適合するように制御するための設定をサーボ・システムに施し、そうでない場合（前述の事項が肯定されない場合）、磁気テープ・ドライブの中心線を正規の距離で制御するための設定をサーボ・システムに施す。
【００１６】
更に別の局面では、サーボ・システムは、長手方向に書き込まれたフォアグラウンド磁気トラック信号に関して横方向に磁気テープ読み取りヘッドを移動させて、所定の正弦曲線の単一周波数パターンで変更されるセット・ポイントで更に操作する。そのパターンは、更に、磁気テープ読み取りヘッドが、少なくとも１回、フォアグラウンド磁気トラック信号の一方の側に且つフォアグラウンド磁気トラック信号の一方のエッジから離れるように全体的に横方向に移動し、そしてフォアグラウンド磁気トラック信号を横切って横方向に移動し、更に、フォアグラウンド磁気トラック信号の反対側に且つフォアグラウンド磁気トラック信号の反対エッジから離れるように全体的に横方向に移動するようなパターンである。更に、そのロジックは、
独立位置センサにより検出されディジタル的に決定された横方向位置を周波数成分に変換し、
横方向位置の周波数成分から所定の正弦波単一周波数パターンを選択し、
横方向位置の周波数成分を独立位置センサの横方向位置に変換し、
磁気テープ読み取りヘッドからのフォアグラウンド磁気トラック信号及びバックグラウンド信号の間のディジタル的に決定された比率を測定し、
そのディジタル的決定された比率を周波数成分に変換し、
その比率の周波数成分から所定の正弦波単一周波数パターンを選択し、
その比率の周波数成分をフォアグラウンド磁気トラック信号及びバックグラウンド信号の比率に変換し、
所定の正弦波単一周波数パターンを取り消し、その変換された独立位置センサの横方向位置に及びフォアグラウンド磁気トラック信号及びバックグラウンド信号の変換された比率に曲線を適合させる。
【００１７】
本発明をより十分に理解するためには、添付図面に関連して行われる以下の詳細な説明を参照しなければならない。
【発明を実施するための最良の形態】
【００１８】
本発明は、図面を参照して以下の記述における望ましい実施例に関連して説明される。なお、図面における同じ番号は同じ又は同様の素子を表す。本発明は、本発明の目的を達成するための最良のモードによって説明されるけれども、発明の精神及び範囲から逸脱することなく、これらの教示事項から見て、変更を施し得ることは当業者には明らかであろう。
【００１９】
図１を参照すると、磁気テープ・システム１０が示される。本発明を使用し得る磁気テープ・システムの一例が磁気テープ・テスト・システムである。本発明を使用し得る磁気テープ・システムのもう１つの例は、ＩＢＭ３５９０磁気テープ・サブシステムのような磁気テープ・ストレージ・サブシステムである。インターフェース１６を介してホスト装置１４に及びホスト装置１４からデータ及び制御信号を送信及び受信するコントロール・ユニット１２が設けられる。コントロール・ユニット１２は、コンピュータ・プロセッサを含み、情報及びコンピュータ・プログラムをストアするためのランダム・アクセス・メモリのようなメモリ装置１８に結合される。ホスト装置１４の一例はＩＢＭ  ＲＳ／６０００プロセッサを含む。
【００２０】
この分野ではよく知られているようなマルチエレメント・テ−プ・ヘッド２０は、磁気テープ２２上にデータを記録するための複数のデータ書き込みギャップ及び磁気テープ２２からデータを読み取るための複数のデータ読み取りギャップ、並びに、磁気テープ２２上の事前記録された線形サーボ・エッジを含むサーボ信号を読み取るためのサーボ・センサ又は読み取り素子を含む。記録済み磁気テープにおけるデータ・トラックは、一般には、平行に配列され且つ線形サーボ・エッジに平行している。サーボ・トラック・フォロワ２４は、サーボ・ディテクタ２８に応答して、磁気テープ・ヘッド２０のサーボ・センサによってセンスされる線形サーボ・エッジを又はサーボ・エッジから横方向にオフセットしたサーボ・インデックス位置をトラック・フォローするようにサーボ・ロジック４６５によって操作される。従って、同じテープ・ヘッド上に装着されたデータ書き込みギャップ及びデータ読み取りギャップがデータ・トラックの平行なグループをトラッキングする。ロジック４６５は、プログラムされたＰＲＯＭ、ＡＳＩＣ又はマイクロプロセッサを含み得る。
【００２１】
上述のように、テープ・ヘッド２０のような磁気テープ・ヘッドは、一般には、薄膜製法によって製造され、複数の書き込みギャップ及び複数の読み取りギャップを有する。書き込みギャップは（読み取りギャップも）テープ・ヘッド間で幅がわずかに変わる傾向があり、しかも種々のエッジ又はフリンジング効果のために、書き込みヘッドは、有効幅がテープ・ヘッド間で変わる傾向がある。それらの幅の変動は、中心線が変化するような書き込まれたトラックの「シングリング」が生じるか、書き込まれたトラックがノイズなく読み取るには狭すぎるか、或いは、書き込まれたトラックにおける隣接トラックの上書きが多すぎるという結果を生じる。多くの場合、有効幅は、たとえテープ・ヘッド間における変動があっても、１つのテープ・ヘッド内ではほぼ同じである。
【００２２】
図１の磁気テープ・システムは、本発明の実施例によれば、バックグラウンド信号を有する磁気テープ上に長手方向に書き込まれたフォアグラウンド磁気トラック信号の幅を決定することによって磁気テープ書き込みギャップの有効幅を測定するために使用される。なお、フォアグラウンド磁気トラック信号は、バックグラウンド信号とは異なる信号を含む。本発明は、磁気テープ・ドライブ・システムのハードウェア及びロジックにおいて使用可能であり、コンピュータ可読プログラム・コードを組み込まれたプログラム可能コンピュータにより使用可能な方法、又はそのようなコンピュータにより使用可能なコンピュータ・プログラムを含み得る。なお、コンピュータ・プログラムは、コンピュータ・プロセッサを操作するコンピュータ可読プログラム・コードを含む。コンピュータ・プログラムは、当業者には周知のように、ＲＯＭ、ＰＲＯＭ、ディスク・ドライブ、又はディスケットを含み得るメモリ・デバイス１８のような固定メモリ又は取り外し可能メモリの形でコントロール・ユニット１２と関連して提供されるか、サーボ・ロジック４６５のデータベースの一部としてストアされるか、或いは、例えば、ホスト・デバイス１４から外部的に供給可能である。
【００２３】
図１の磁気テープ・システムでは、テープ・リール・モータ・システム（図示されていない）がテープ２２を長手方向に移動させ、その際、テープは、読み取り及び書き込みのためにテープ・パス４６１において支持される。そのテープ・パスは、１つの代替え方法として、テープを横方向の所定位置に正確にガイドしてもよい。別の代替え方法として、テープ・パス４６１は、テープを横方向の所定位置に正確に保持するものではなく、むしろ、磁気テープが、トラック幅よりも実質的に大きい距離を横方向に移動し、それによって、ガイド・プロセスにかなりのノイズを導くことがあり得るオープン・チャネル・ガイド（open channel guiding）が使用されてもよい。
【００２４】
サーボ・トラック・フォロワ２４は、テープ移動の長手方向に関して横方向、即ち、横断方向に磁気テープ・ヘッド２０の移動を方向付ける。コントロール・ユニット１２がテープ・リール・モータに連結され、長手方向におけるテープ２２の向き、速度、及び加速度を制御する。データ・トラックの他の平行なグループをトラッキングすることが望ましい場合、磁気テープ・ヘッド２０が他のサーボ・エッジ又は他のサーボ・インデックス位置まで横方向にインデックスされるか、或いは、異なるサーボ・センサが同じ又は異なるサーボ・エッジもしくはサーボ・インデックス位置に揃えられる。磁気テープ・システム１０は、読み取り／書き込みギャップのうちのどれかが長手方向テープ移動の一方の向きに対して選択され、読み取り／書き込みギャップの別のものが逆向きの移動に対して選択されるという双方向性のものであってもよい。コントロール・ユニット１２は、更に、読み取り／書き込みギャップ選択ユニット３０に信号を送ることによって、読み取り／書き込みギャップのうちの適切なものを選択する。磁気テープ・ヘッド２０が１つの選択されたインデックス位置まで移動すべき時、インデックス・コントローラ２６がコントロール・ユニット１２によってイネーブルされ、独立位置センサ４６０から機械的な横方向位置信号を受け取り、サーボ・ロジック４６５に適切な信号を送って適切なサーボ・トラックを選択させる。一方、コントロール・ユニット１２は、サーボ・ギャップ・セレクタ３２に適切な信号を送って適切なサーボ・センサを選択させる。独立位置センサ４６０は、米国特許第５,９４６,１５９号に開示されており、そこでは、それは非サーボ位置センサと呼ばれ、テープ・パス４６１に関するテープ・ヘッド２０の横方向の機械的位置を表す。本発明によれば、独立位置センサ４６０は、磁気テープ２２に関するテープ・ヘッド２０の横方向の機械的位置を正確にトラッキングする。一旦、サーボ・エッジが選択されると、サーボ・ギャップ・セレクタ３２がサーボ・ディテクタ２８にサーボ信号を供給する。その情報は、検出されたエッジをトラック・フォローするようテープ・ヘッド２０を位置づけるために、サーボ・ロジック４６５によって使用される。
【００２５】
図２を参照すると、本発明は、図１の磁気テープ・システム１０のような磁気テープ・システムを使用して磁気テープ書き込みヘッド・ギャップの有効幅を測定する。その測定は、バックグラウンド信号１０１を有する磁気テープ２２上の書き込みギャップが測定され、それによって、長手方向に書き込まれた図２のフォアグラウンド磁気トラック信号１００の幅を決定することによって行われる。なお、フォアグラウンド磁気トラック信号は、バックグラウンド信号とは異なる信号から成る。
【００２６】
１つの実施例では、磁気テープが磁気テープ読み取りヘッドに関して矢印１０５の向きに長手方向に移動する時、図１のサーボ・システムの素子２８、４６５、２４が、テープ・ヘッド２０の読み取りギャップ又はサーボ読み取り素子のようなものを含む磁気テープ読み取りヘッドを図２の長手方向に書き込まれたフォアグラウンド磁気トラック信号１００に関して横方向に移動させる。従って、磁気テープ読み取りヘッド１０７は、その磁気テープ読み取りヘッドの横方向位置次第で、フォアグラウンド磁気トラック信号１００を読み取り得るし、バックグラウンド信号１０１を読み取り得る。
【００２７】
その横方向の移動は、磁気テープ読み取りヘッド１０７が、図示のように、少なくとも１回、フォアグランド磁気トラック信号１００の一方の側に且つそれの一方のエッジから離れるように全体的に横方向に移動し、そして、位置１１０、１１１、１１２、１１３に示されるように、フォアグラウンド磁気トラック信号１００を横切って横方向に移動し、更に、位置１１７によって示されるように、フォアグラウンド磁気トラック信号１００の反対側に且つ反対エッジから離れるように全体的に横方向に移動する。そして、磁気テープ読み取りヘッドは、バックグラウンド信号１０１及びフォアグラウンド信号１００とは異なる信号を読み取る。そのパターンは、磁気テープ読み取りヘッドの中心の位置を表す破線１２０によって示されるように、何回も繰り返し可能である。
【００２８】
図２の例では、横方向の移動は単一の正弦波形状のものである。しかし、本発明に従って、任意のパターンの横方向移動が使用可能である。
【００２９】
磁気テープ読み取りヘッドが横方向に移動する時、図１の独立位置センサ４６０が、例えば、図２のドット１２４、１２５によって示されるような移動する磁気テープ読み取りヘッドの横方向位置を検出する。なお、  それらのドットは、フォアグラウンド磁気トラック信号１００の一方の側及び反対側に対するパス１２０に沿った磁気テープ読み取りヘッドの横方向位置を表す。
【００３０】
図１のコントロール・ユニット１２又はサーボ・ロジック４６５において実装されるようなコンピュータ実装プログラムであってもよいロジックが、磁気読み取りヘッド１０７からの、及び図２の独立位置センサ１２４からの検出された信号を受け取るために設けられる。
【００３１】
本発明の１つの局面によれば、ロジックは、磁気読み取りヘッドの一端がフォアグラウンド磁気トラック信号１００に達する位置１１０におけるそのヘッドによって示されるように、磁気読み取りヘッドがフォアグラウンド磁気トラック信号の一方のエッジに遭遇したことを検出する。１つの実施例では、フォアグラウンド磁気トラック信号１００が先ず検出され、別の実施例では、バックグラウンド磁気トラック信号１０１対フォアグラウンド信号１００の比率が、信号１３１の変曲点１３０によって示されるその比率の実質的な最大値から離れるように動く。ロジックは、更に、図１の独立位置センサ４６０の信号１３５から、フォアグラウンド磁気トラック信号１００の検出された一方のエッジ１１０におけるその移動する磁気テープ読み取りヘッドの図２の横方向位置１３６を決定する。図２に図示された実施例では、磁気テープ読み取りヘッドは、フォアグラウンド磁気トラック信号１００よりも幅広いものとして示される。別の例では、磁気テープ読み取りヘッドは、フォアグラウンド磁気トラック信号の幅よりも広くなくてもよく、或いは、その幅と実質的に同じ幅であってもよい。磁気テープ読み取りヘッドがフォアグラウンド磁気トラック信号よりも幅広い場合の例では、読み取りヘッドは、トラックから情報を読み取るための正規の読み取りヘッドではない。当業者には既知のように、正規の読み取りヘッドは、書き込まれたパターンよりも幅広くあってはならない。従って、上述のような例では、図１のテープ・ヘッド２０のサーボ読み取り素子が図２のフォアグラウンド磁気トラック信号１００に関して横方向に移動する。
【００３２】
フォアグラウンド磁気トラック信号及びバックグラウンド信号の比率は、当業者には明らかなように、種々の方法で決定することが可能である。図２の説明において、その比率は、フォアグラウンド磁気トラック信号によって除されたバックグラウンド信号の比率である。別の比率は、逆の比率、例えば、信号（Ｓ１−Ｓ２）/Ｓ１ 等の間の差に関連した比率である。
【００３３】
検出されたトラック信号は、磁気テープ読み取りヘッドがフォアグラウンド磁気トラック信号を横切って横方向に移動して、検出された比率を減少させるにつれて増加する。図２に示されるように、検出されたトラック信号は、磁気テープ読み取りヘッドが位置１１１から位置１１２まで移動する時、最大点まで増加し、検出された比率を最小点１３２まで移動する。なお、最小比率は、トラック幅によって設定されたヘッド幅の大きさに関連する。更に小さい磁気テープ読み取りヘッドの別の実施例では、最小比率は実質的にゼロになるか又は負の最大値になる。
【００３４】
１つの実施例では、変曲点１３８によって示されるように、移動する磁気テープ読み取りヘッドがフォアグラウンド磁気トラック信号の反対エッジに遭遇したこと（位置１１１）を検出し、独立位置センサから、フォアグラウンド磁気トラック信号の検出された反対エッジにおける移動する磁気テープ読み取りヘッドの横方向位置１３９を決定する。
【００３５】
ロジックは、フォアグラウンド磁気トラック信号の検出された一方のエッジにおける移動する磁気テープ読み取りヘッドの決定された横方向位置１３６と、フォアグラウンド磁気トラック信号の検出された反対エッジにおける移動する磁気テープ読み取りヘッドの決定された横方向位置１３９との間の横方向距離として、フォアグラウンド磁気トラック信号の幅を決定する。
【００３６】
本発明の１つの実施例では、ロジックは、次に、位置１１２におけるヘッドによって示されるように、磁気テープ読み取りヘッドの逆の端部がフォアグラウンド磁気トラック信号１００の一方のエッジに遭遇したことを検出する。１つの実施例では、フォアグラウンド磁気トラック信号１００が、検出されたトラック信号１３１の平坦部（plateau）の１３２の変曲点にあり、別の実施例では、バックグラウンド磁気トラック信号１０１対フォアグラウンド信号１００の比率が最大値に向かって動く。更に、ロジックは、図１の独立位置センサ４６０の信号１３５から、フォアグラウンド磁気トラック信号の検出された一方のエッジ（位置１１２）における移動する磁気テープ読み取りヘッドの図２における横方向位置１４２を決定する。
【００３７】
検出されたトラック信号は、磁気テープ読み取りヘッドがフォアグラウンド・トラック信号を横切って横方向に移動するにつれて減少する。図２に示されるように、検出されたトラック信号の比率は、磁気テープ読み取りヘッドが位置１１２から位置１１３に移動するにつれて増加し、ヘッドがフォアグラウンド磁気トラック信号１００から完全に離れて移動する時に最小フォアグラウンド信号及び最大比率が到達する。
【００３８】
１つの実施例では、ロジックは、変曲点１４６によって示されるように、異動する磁気テープ読み取りヘッドがフォアグラウンド磁気トラック信号の反対エッジに到達した（位置１１３）ことを検出し、独立位置センサから、フォアグラウンド磁気トラック信号の検出された反対エッジにおける移動する磁気テープ読み取りヘッドの横方向位置１４７を決定する。
【００３９】
ロジックは、フォアグラウンド磁気トラック信号の検出された一方のエッジにおける移動する磁気テープ読み取りヘッドの決定された横方向位置１４２と、フォアグラウンド磁気トラック信号の検出された反対エッジにおける移動する磁気テープ読み取りヘッドの決定された横方向位置１４７との間の横方向距離として、フォアグラウンド磁気トラック信号の幅を決定する。
【００４０】
別の実施例では、ロジックは、位置１１０におけるヘッドによって示されるように、磁気テープ読み取りヘッドが先ずフォアグラウンド磁気トラック信号１００の一方のエッジに遭遇したこと及びフォアグラウンド磁気トラック信号１００が検出されたトラック信号１３１の変曲点１３０にあることを検出する。更に別の実施例では、バックグラウンド磁気トラック信号１９１対フォアグラウンド信号１００の比率が１よりも小さくなる。更に、ロジックは、図１の独立位置センサ４６０の信号１３５から、フォアグラウンド磁気トラック信号１００の検出された一方のエッジ１１０における移動する磁気テープ読み取りヘッドの図２における横方向位置１３６を決定する。
【００４１】
検出されたトラック信号の比率は、磁気テープ読み取りヘッドがフォアグラウンド磁気トラック信号を横切って横方向に移動するにつれて減少し、平坦部１３２に到達し、そして増加する。図２に示されるように、磁気テープ読み取りヘッドが位置１１３に到達するとき、検出されたトラック信号は、磁気テープ読み取りヘッドが位置１１３まで移動する時、最大１４４に増加する。最小フォアグラウンド信号及び最大比率は、読み取りヘッドがフォアグラウンド磁気トラック信号１００から完全に離れて移動する時に到達する。別の実施例では、ロジックは、変曲点１４６によって示されるように、磁気テープ読み取りヘッドがフォアグラウンド磁気トラック信号１００の反対エッジ１１３に遭遇したことを検出する。ロジックは、独立位置センサから、フォアグラウンド磁気トラック信号１００の検出された反対エッジにおける移動する磁気テープ読み取りヘッドの横方向位置１４７を決定する。
【００４２】
ロジックは、フォアグラウンド磁気トラック信号の検出された一方のエッジにおける移動する磁気テープ読み取りヘッドの決定された横方向位置１３６と、フォアグラウンド磁気トラック信号の検出された反対エッジにおける移動する磁気テープ読み取りヘッドの決定された横方向位置１４７との間の横方向距離として、フォアグラウンド磁気トラック信号の幅を決定する。それは、磁気テープ読み取りヘッド１０７の有効幅を差し引いたものである。
【００４３】
磁気トラック読み取りヘッドのパス１２０、トラック信号又は比率１３１、及び独立位置センサの信号１３５によって示されるように、磁気トラック読み取りヘッドは、フォアグラウンド磁気トラック信号１００の一方の側に且つフォアグラウンド磁気トラック信号１００の一方のエッジから離れるように全体的に横方向に、そしてフォアグラウンド磁気トラック信号を横切って横方向に、そしてフォアグラウンド磁気トラック信号１００の反対側に且つその信号１００の反対エッジから離れるように全体的に横方向に、前後に移動し得る。そして、磁気テープ読み取りヘッドは、独立位置センサが磁気トラック読み取りヘッドの横方向位置を検出する時、バックグラウンド信号１０１及びフォアグラウンド信号１００とは異なる信号を読み取る。そこで、図１のヘッド２０における書き込みギャップの有効幅の正確な測定を行うために、フォアグラウンド磁気トラック信号の幅の測定値が平均化される。
【００４４】
本発明による方法の実施例が図３に示され、それはステップ２００で始まる。ステップ２０２において、テープが長手方向に且つ図２の矢印１０５の方向に移動し、磁気テープ読み取りヘッド１０７がフォアグラウンド磁気トラック信号１００のトラックの付近まで移動する。例えば、サーボ読み取り素子が磁気テープ読み取りヘッドである場合、フォアグラウンド磁気トラック信号１００は、サーボ・トラックに極めて隣接した横方向位置に書き込まれる。サーボ読み取り素子は、サーボ・トラックからフォアグラウンド磁気トラック信号１００に向かって移動する。図３のステップ２０３は、そのトラックが見つかったかどうかを表示し、それが否定される場合、プロセスはステップ２０２にサイクル・バックし、フォアグラウンド磁気トラック信号に向けて移動し続ける。後述するように、テープが正確にはガイドされないかも知れず、そして、このようなケースであるかどうかを決定するために、ステップ２０５が行われる。テープが正確にガイドされる場合、プロセスはステップ２０７において継続する。そのとき、図２の磁気テープ読み取りヘッド１０７は、上述のように、少なくとも１回、位置１０７によって示されるようにフォアグラウンド磁気トラック信号１００の一方の側に且つその信号１００の一方のエッジから離れるように全体的に横方向に移動し、そして、位置１１０、１１１、１１２、１１３によって示されるようにフォアグラウンド磁気トラック信号１００を横切って横方向に移動し、更に、位置１１７によって示されるようにフォアグラウンド磁気トラック信号１００の反対側に且つその信号１００から離れるように全体的に横方向に移動する。そのパターンは、破線１２０によって示されるように、何回も繰り返し可能である。
【００４５】
磁気テープ読み取りヘッドが図３のステップ２０７において横方向に移動する時、ステップ２０８において、磁気テープ読み取りヘッドは、信号１３１によって示されるように、図２のバックグラウンド信号１０１及びフォアグラウンド信号１００とは異なる信号を読み取り、独立位置センサが、信号１３５によって示されるように、移動する磁気テープ読み取りヘッドの横方向位置を検出する。図３のステップ２１０において、ロジックは、図２の変曲点１３０、１３８、１４０、１４６のようなフォアグラウンド磁気トラック信号における変曲点又はフォアグラウンド磁気トラック信号及びバックグラウンド信号の間の比率における変曲点を識別する。図３のステップ２１３において、ロジックは、ステップ２１０の変曲点を使用して、上述のように、磁気テープ読み取りヘッドがフォアグラウンド磁気トラック信号の一方のエッジ及び反対エッジに遭遇したことを検出する。ステップ２１５において、ロジックは、ステップ２１３における検出された遭遇を独立位置センサの信号と照合し、フォアグラウンド磁気トラック信号の検出された一方のエッジと検出された反対エッジとの間の距離を決定する。フォアグラウンド磁気トラック信号の幅の平均値を決定するために、これらのステップは何回も繰り返えされてもよい。更に、磁気テープ読み取りヘッド、独立位置センサ等の感度に関する既知の修正事項を反映させるように調整を行うことも可能である。
【００４６】
上記のプロセスは、正確にガイドされるテープのためのプロセスである。米国特許出願１０/０３５,１８２号において詳細に説明されているようなガイドされない又は正確にはガイドされないテープに関する本発明の別の局面によれば、更なるプロセスが行われる。図３のステップ２２５において、図２の磁気テープ読み取りヘッド１０７が、上述のように、少なくとも１回、位置１０７によって示されるようにフォアグラウンド磁気トラック信号１００の一方の側に且つその信号１００の一方のエッジから離れるように全体的に横方向に、そして、位置１１０、１１１、１１２、１１３によって示されるようにフォアグラウンド磁気トラック信号を横切って横方向に、更に、位置１１７によって示されるようにフォアグラウンド磁気トラック信号１００の反対側に且つその信号１００の反対エッジから離れるように、移動する。更に、磁気テープ読み取りヘッドは、所定の正弦波パターンの注入された（injected）セット・ポイントに従って移動する。前記米国特許出願１０/０３５,１８２号において説明されているように、所定の正弦波の定義された信号をサーボ・システムに注入すること（injection）は、本発明に従って、周波数フィルタリングを使用して実際の独立位置センサの横方向位置及び磁気テープ読み取りヘッドの実際の信号を分離するための基準を与える。
【００４７】
磁気テープ読み取りヘッドが図３におけるステップ２２５の結合パターンに従って横方向に移動する時、ステップ２２８において、磁気テープ読み取りヘッドが図２のバックグラウンド信号１０１及びフォアグラウンド信号１００とは異なる信号を読み取り、独立位置センサが、移動する磁気テープ読み取りヘッドの横方向位置を検出する。図４は、フィルタされてない独立位置センサの横方向位置データにおけるわずかな部分の一例を示す。図５は、磁気テープ読み取りヘッドのフィルタされてない比率データにおけるわずかな部分の一例を示す。
【００４８】
信号は、今や、正弦波パターンによって左右され、テープ移動によっては左右されない。正弦波パターン周波数は正確にわかっており、正弦波パターンの周波数又はそれの高調波にはないものはいずれも測定におけるノイズである。
【００４９】
前記米国特許出願１０/０３５,１８２の１つの実施方法では、図１におけるサーボ・ディテクタ２８を含む磁気テープ読み取りヘッド・ディテクタが、所定のサンプル比率において磁気テープ読み取りヘッドのディジタル的に検出された比率（ＰＥＳ）を与える。更に、ロジックは、図１の独立位置センサ４６０から、トラック追従サーボ・システムのサンプル・レートで、磁気テープに関する磁気テープ読み取りヘッドの横方向位置をディジタル的に決定する。
【００５０】
図３のステップ３２０において、ロジックは、ディジタル的に決定された独立位置センサの横方向位置を周波数成分に変換し、そして検出されたトラック信号のディジタル的に決定された比率を周波数成分に変換する。１つの例では、サーボ・ロジックは、ディジタル的に決定された独立位置センサの横方向位置の高速フーリエ変換（fast Fourier transform - ＦＦＴ）を行うことによって、ディジタル的に決定された独立位置センサの横方向位置を周波数成分に変換し、ディジタル的に決定された比率のＦＦＴを行うことによって、サーボ信号のディジタル的に決定された比率を周波数成分に変換する。
【００５１】
各信号のＦＦＴは、ノイズを除去し得る周波数ドメインにそれらの信号を入れるために遂行される。
【００５２】
図６は、図４からの独立位置センサのディジタル的に決定された横方向位置の周波数ドメインを表す波形３２６を示す。更に、図７は、図５からの磁気テープ読み取りヘッドによってセンスされたトラック信号のディジタル的に決定された比率の周波数ドメインを表す波形３２７を示す。
【００５３】
図３のステップ３３５において、ロジックは、独立位置センサの横方向位置の周波数成分から及びサーボ信号の比率の周波数成分から、所定の正弦波パターンの単一周波数及びそれの少なくとも１つの高調波を選択し、それによって、ノイズをゼロにする。１つの実施例では、第４高調波以上に重要ではないが有用な情報がある。従って、ステップ３３５において、注入された正弦波パターン単一周波数及び４つまでの低周波の高調波を除いて、すべての周波数ポイントがゼロにセットされる。
【００５４】
従って、プロセスは、テープ・ガイド・ノイズが顕著である状況から、関連ある信号が既知の単一周波数における正弦波パターンである状況まで進んでいる。その周波数ドメインでは、ノイズは取り除かれる。
【００５５】
いくつかの例として、図８は、図６のディジタル的に決定された独立位置センサの横方向位置を表す波形を示し、それは、所定の正弦波パターン単一周波数３４０及び高調波３４１、３４２、３４３が選択され周波数成分に変換されものである。図９は、図７のトラック信号のディジタル的に決定された比率を表す波形を示し、それは、所定の正弦波パターン単一周波数３４５及び高調波３４６、３４７、３４８が選択された周波数成分に変換されものである。
【００５６】
図３のステップ３５０において、ロジックは、その選択された周波数成分を独立位置センサの横方向位置に変換し、その選択された周波数成分をトラック信号の比率に変換する。１つの例では、ロジックは、選択された周波数成分の逆高速フーリエ変換（inverse ＦＦＴ - ＩＦＦＴ）を行うことによって、選択された周波数成分を独立位置センサの横方向位置に変換し、選択された周波数成分をトラック信号の比率に変換する。
【００５７】
その変換は、比率からトラック信号を作成するための係数及び独立位置センサから位置信号を作成するための係数を生成する曲線適合ルーチン（curve fitting routine）に送るための信号を供給する。
【００５８】
ステップ３５０は、連結子３５１、３５２を介して図３のステップ３６０に進む。ステップ３６０において、ロジックは、ステップ３５０における変換された独立位置センサ波形及びトラック信号の変換された比率の注入された正弦波パターンを取り消す。そして、サーボ・ロジックは、選択された周波数成分の変換された独立位置センサの横方向位置に及びトラック信号の変換された比率に曲線を適合させて、図１０における曲線３７０によって示されたような独立位置センサの「整理されたデータ（cleaned up data）」を供給し、図１１における曲線３７１によって示されるようなトラック信号の「整理されたデータ」を供給する。
【００５９】
この曲線適合は、独立位置センサの信号及びトラック信号を個々に曲線に適合させるための２次曲線適合アルゴリズムを含み得る。
【００６０】
簡単に言えば、ロジック曲線は、例えば、二次方程式のような標準の曲線適合ルーチンによって、２次元の二次曲線を比率及び独立位置センサの横方向位置に適合させる。また、磁気テープ読み取りヘッド又は独立位置センサの特性はその適合した曲線からのオフセットを生じ得る。従って、標準のアルゴリズムを使用する最小二乗調整は、曲線を滑らかにするために二次方程式の二次曲線を処理し得る。それぞれの曲線を適合させるために、別の曲線適合方法が使用可能である。
【００６１】
その結果生じた独立位置センサの横方向位置データ及び検出されたトラック信号データは、図２のフォアグラウンド磁気トラック信号１００における検出された一方のエッジと検出された反対エッジとの間の横方向距離を決定するために、ステップ２１０、２１３、及び２１５のプロセスにおいて使用される。
【００６２】
磁気ヘッドの書き込みギャップによって書き込まれるべきトラックは、名目上の中心線を有する名目上の幅のトラックであり、上記のプロセスは、フォアグラウンド磁気トラック信号の幅を測定することによって書き込みギャップの実際の有効幅を決定する。
【００６３】
本発明のもう１つの局面では、プロセスは、書き込みギャップが小さすぎて有効ではないかどうか、それが大きすぎて有効ではないかどうか、又は結果として生じたトラックの中心線が書き込み済みのトラックを読み取るために調節される必要があるかどうかも決定する。
【００６４】
このプロセスの１つの実施例では、ステップ３８０において、ロジックは、測定される書き込みギャップに対するステップ２１５の決定された横方向距離がトラックの名目上の幅よりも大きいかどうかを決定する。その結果が否定的である場合、ステップ２１５の決定された横方向距離が下限よりも小さいかどうかを、ステップ３８３が決定する。例えば、書き込まれたトラックが狭すぎてノイズなしで読み取ることができない場合、書き込みギャップは狭すぎるであろう。従って、横方向距離がステップ３８３の下限よりも小さい場合、ステップ３８４において、エラーが信号される。その結果、図１のヘッド２０は交換されなければならないであろう。
【００６５】
測定される書き込みギャップに関する図３におけるステップ３８０の決定された横方向距離がトラックの名目上の幅よりも大きい場合、ステップ３８７は、ステップ２１５の決定された横方向距離が上限を越えるかどうかを決定する。例えば、書き込みギャップが広すぎることがあり得るし、その結果、書き込まれたトラックが隣接トラックを過剰に上書きしてしまうことがあり得る。従って、横方向距離がステップ３８７の上限を越える場合、ステップ３８４において、エラーが信号される。その結果、図１のヘッド２０は、交換されなければならないであろう。
【００６６】
横方向距離が図３のステップ３８７における上限を越えないで名目上の幅よりも大きい場合、書き込みギャップは、依然として、隣接トラックの「シングリング」を生じさせるに十分なほど広いことがあり得る。図１２及び図１３を参照してこれを説明する。
【００６７】
図１２において、隣接トラック７００、７０１、７０２がトラック間にギャップを有する名目上のサイズで示される。その結果、読み取りの中心線７０５、７０６、７０７は、書き込まれるとき、トラックの実際の中心線にある。図１３では、トラックは、名目上の幅よりも大きく、「シングリング」が生じるほど幅広い。図１３における図形は、説明を目的とするために多少誇張されている。
【００６８】
「シングリング」は、トラックが書き込まれる順序の向きとは逆の向きである。例えば、隣接するトラック７１０、７１１、７１２は下部から上部への順序で書き込まれ、トラック７１２が最後に書き込まれる。従って、トラック７１１がトラック７１０にわずかに重畳し、トラック７１２がトラック７１１にわずかに重畳する。中心線７１３及び７１４は、それぞれ、トラックのオリジナル中心線、即ち、書き込み中心線を表す。トラック７１１がトラック７１０の一部分を上書きした結果、トラック７１０の読み取り中心線は中心線７１５になる。同様に、トラック７１２がトラック７１１の一部分を上書きした結果、トラック７１１の読み取り中心線は中心線７１６になる。トラック７１２の中心線７１７は、そのトラックが、それに隣接したトラックのうちの書き込まれた最後のトラックであるので、変更されない。更なる例として、トラック７１１が中心線７１４上に再書き込みされる場合、トラック７１２の読み取り中心線は、中心線７１７から、トラック７１１から離れた或る位置まで移動するであろう。すべての例において、中心線は、当業者には明らかなように、サーボ・システムによって決定される名目上の間隔が平均している。
【００６９】
ステップ２１５の決定された横方向距離が名目上のものよりも大きいがエラーではないことを図３のステップ３８０及びステップ３８７が決定する場合、ロジックは、ステップ３９０において、シングリングが起こるかどうかを決定する。それが肯定される場合、ステップ３９１は、その決定された横方向距離から、中心線を調整するために適用する要素を決定する。そして、処理はステップ３９５に進み、磁気テープ・ドライブの中心線を制御するための設定をサーボ・システムに対して行う。従って、その磁気テープ・ドライブは、磁気トラック間のシングリングに適合するようにフォアグラウンド磁気トラック信号の幅で磁気トラックを書き込むであろう。中心線の調節が必要ないことをステップ３９０が決定する場合、又は、ステップ２１５で決定された横方向距離が名目上のものか又はそれより小さく且つ下限よりも大きいことをステップ３８３が決定する場合、サーボ・システムは、名目上の距離で磁気テープ・ドライブの中心線を制御するための設定を行う。
【００７０】
上述のように、書き込みギャップは（読み取りギャップも）、テープ・ヘッド間の幅をわずかに変化させる傾向があり、種々のエッジ効果又はフリンジ効果のために、書き込みギャップは、テープ・ヘッド間で変動する有効幅を持つ傾向がある。しかし、多くの場合、有効幅は、たとえテープ・ヘッド間で変動があっても、１つのテープ・ヘッド内ではほぼ同じである。従って、測定は１つの書き込みギャップに関して行われてもよく、或いは、念のために、複数の書き込みギャップに関して行われてもよい。ステップ３９５の設定は、図１におけるヘッド２０の書き込みギャップすべてに適用するであろう。
【００７１】
図１４は、サーボ・システムの一例を説明するものであり、フォアグラウンド磁気トラック信号及びバックグラウンド信号に対して使用可能な信号を示す。この例示的サーボ・システムでは、サーボ・ディテクタが、２つの異なる記録済みサーボ信号相互間のインターフェースを構成する直線的なサーボ・エッジ４７及び４８に追従する。その一組のサーボ・エッジは、他のサーボ信号における内側バンド４４の両側において単一の第１周波数Ｆ１の一定振幅信号から成る記録済みパターンを有する外側バンド４０及び４２を含み、内側バンド４４は、単一の第２周波数Ｆ２の一定振幅バースト信号４５及びゼロ振幅ヌル信号４６間で交互に変わる記録済みパターンを有する。
【００７２】
データ・トラックの密度を高めるために、直線的なサーボ・エッジの組におけるセンスされたサーボ・エッジに関して横方向にオフセットしたサーボ・インデックス位置９１２、９１３、９１４及び９１５が与えられ、それは、６つの可能なインデックス位置を与えることになる。例えば、サーボ読み取り素子は、サーボ・エッジ４７において中心合わせされた位置９００又はサーボ・エッジ４８において中心合わせされた位置９０１に位置づけ可能である。サーボ読み取り素子が、中間のトラック４４の幅の約１／３だけサーボ・エッジ４７又は４８からいずれかの方向に離れたインデックス位置９１２−９１５に沿ってそのエッジ４７又は４８から変位して位置決めされるというような、更なるインデックス位置に揃えることも可能である。
【００７３】
本発明の１つの実施例では、フォアグラウンド磁気トラック信号９３０の幅を決定するために、同じサーボ・システムが使用可能である。バックグラウンド信号９４０、９４２が単一の第１周波数Ｆ１の一定振幅信号として書き込まれる。フォアグラウンド磁気トラック信号９３０は、単一の第２周波数Ｆ２の一定振幅バースト信号９４５及びゼロ振幅のヌル信号９４６の間で交互に変わるパターンとして書き込まれる。バックグラウンド信号９４０、９４２及びフォアグラウンド信号９３０の第１周波数及び第２周波数は、それぞれ、サーボ・システムの第１周波数及び第２周波数と同じであってもよい。サーボ読み取り素子は、サーボ読み取り素子９６０によって示されるように、磁気テープ読み取りヘッドとしても使用可能である。
【００７４】
代替えとして、バックグラウンド信号９４０、９４２及びフォアグラウンド磁気トラック信号９３０は、相異なる別々に識別可能な周波数又は速度の、或いは、ディジタル結合の信号を含んでもよい。
【００７５】
更に別の代替えとして、磁気テープ読み取りヘッドは、図１におけるテープ・ヘッド２０の標準の読み取りヘッドを含み得る。
【００７６】
本発明の望ましい実施例を詳しく説明したけれども、特許請求の範囲に記載されているような本発明の技術範囲から逸脱することなく、それらの実施例に対する修正及び改良が当業者にとって可能であることは明らかであろう。
【００７７】
まとめとして、本発明の構成に関して以下の事項を開示する。
【００７８】
（１）バックグラウンド信号を有する磁気テープ上に長手方向に書き込まれ、前記バックグラウンド信号とは異なる信号から成るフォアグラウンド磁気トラック信号の幅を決定するためのシステムであって、
磁気テープ読み取りヘッドと、
前記磁気テープ読み取りヘッドが前記フォアグラウンド磁気トラック信号及び前記バックグラウンド信号を読み取り得るように、前記磁気テープが前記磁気テープ読み取りヘッドに関して長手方向に移動するとき、前記長手方向に書き込まれたフォアグラウンド磁気トラック信号に関して横方向に磁気テープ読み取りヘッドを移動させるためのサーボ・システムにして、前記横方向の移動は、前記磁気テープ読み取りヘッドが、少なくとも１回、前記フォアグラウンド磁気トラック信号の一方の側に且つ前記フォアグラウンド磁気トラック信号の一方のエッジから離れるように全体的に横方向に移動し、更に、前記フォアグラウンド磁気トラック信号を横切って横方向に移動し、更に、前記フォアグラウンド磁気トラック信号の反対側に且つ前記フォアグラウンド磁気トラック信号の反対エッジから離れるように全体的に横方向に移動し、それによって前記磁気テープ読み取りヘッドが前記異なる信号を読み取るような移動である、サーボ・システムと、
前記移動する磁気テープ読み取りヘッドの横方向位置を検出するための独立位置センサと、
前記磁気テープ読み取りヘッドからの検出された信号及び前記独立位置センサからの検出された信号を受け取るためのロジックと、
を含み、前記ロジックは、
前記磁気テープ読み取りヘッドが前記フォアグラウンド磁気トラック信号の前記一方のエッジに遭遇したことを検出し、
前記独立位置センサから、前記フォアグラウンド磁気トラック信号の前記検出された一方のエッジにおける前記移動する磁気テープ読み取りヘッドの前記横方向位置を決定し、
前記磁気テープ読み取りヘッドが前記フォアグラウンド磁気トラック信号の前記反対エッジに遭遇したことを検出し、
前記独立位置センサから、前記フォアグラウンド磁気トラック信号の前記検出された反対エッジにおける前記移動する磁気テープ読み取りヘッドの前記横方向位置を決定し、
前記フォアグラウンド磁気トラック信号の前記検出された一方のエッジにおける前記移動する磁気テープ読み取りヘッドの前記決定された横方向位置と、前記フォアグラウンド磁気トラック信号の前記検出された反対エッジにおける前記移動する磁気テープ読み取りヘッドの前記決定された横方向位置との間の横方向距離を決定する、
ことを含む、システム。
（２）前記ロジックは、前記磁気テープ読み取りヘッドが前記フォアグラウンド磁気トラック信号の前記一方のエッジに遭遇したこと検出した場合及び前記フォアグラウンド磁気トラック信号の前記反対エッジに遭遇したことを検出した場合、それぞれ、前記フォアグラウンド磁気トラック信号及び前記バックグラウンド信号の間の比率を測定することを含み、
前記磁気テープ読み取りヘッドが前記フォアグラウンド磁気トラック信号の前記一方の側に且つ前記フォアグラウンド磁気トラック信号の前記一方のエッジから離れるように全体的に横方向に移動するときの前記比率、及び前記フォアグラウンド磁気トラック信号の前記反対側に且つ前記フォアグラウンド磁気トラック信号の前記反対エッジから離れるように全体的に横方向に移動するときの前記比率が、それぞれ、前記フォアグラウンド磁気トラック信号の最小値を表す、
上記（１）に記載のシステム。
（３）前記ロジックは、前記磁気テープ読み取りヘッドが前記フォアグラウンド磁気トラック信号の前記一方のエッジに遭遇したこと検出した場合及び前記磁気テープ読み取りヘッドが前記フォアグラウンド磁気トラック信号の前記反対エッジに遭遇したことを検出した場合、それぞれ、前記フォアグラウンド磁気トラック信号及び前記バックグラウンド信号の間の前記測定された比率における変曲点を検出することを含む、上記（２）に記載のシステム。
（４）前記サーボ・システムは、前記長手方向に書き込まれたフォアグラウンド磁気トラック信号に関して横方向に前記磁気テープ読み取りヘッドを移動させ、更に、前記磁気テープ読み取りヘッドが、少なくとも１回、前記フォアグラウンド磁気トラック信号の一方の側に且つ前記フォアグラウンド磁気トラック信号の一方のエッジから離れるように全体的に横方向に移動し、更に、前記フォアグラウンド磁気トラック信号を横切って横方向に移動し、更に、前記フォアグラウンド磁気トラック信号の反対側に且つ前記フォアグラウンド磁気トラック信号の反対エッジから離れるように全体的に横方向に移動するような所定の正弦波状単一周波数パターンで変更されるセット・ポイントで動作し、
前記ロジックは、更に、
前記独立位置センサによって検出されディジタル的に決定された前記横方向位置を周波数成分に変換し、
前記横方向位置の前記周波数成分から前記所定の正弦波状単一周波数パターンを選択し、
前記横方向位置の周波数成分を独立位置センサの横方向位置に変換し、
前記磁気テープ読み取りヘッドからの前記フォアグラウンド磁気トラック信号及び前記バックグラウンド信号の間のディジタル的に決定された比率を測定し、
前記ディジタル的に決定された比率を周波数成分に変換し、
前記比率の前記周波数成分から前記所定の正弦波状単一周波数パターンを選択し、
前記比率の周波数成分を前記フォアグラウンド磁気トラック信号及び前記バックグラウンド信号の比率に変換し、
前記所定の正弦波状単一周波数パターンを取り消し、前記変換された独立位置センサの横方向位置に及び前記フォアグラウンド磁気トラック信号及び前記バックグラウンド信号の前記変換された比率に曲線を適合させる、
上記（３）に記載のシステム。
（５）前記磁気テープ読み取りヘッドは前記サーボ・システムのサーボ読み取りヘッドを含み、前記磁気テープは更に前記フォアグラウンド磁気トラック信号に平行な且つ前記フォアグラウンド磁気トラック信号から横方向に離れた少なくとも１つのサーボ・トラックを含み、
前記サーボ・システムは、前記独立位置センサによって測定されるように、前記磁気テープ読み取りヘッドを前記少なくとも１つのサーボ・トラックから前記フォアグラウンド磁気トラック信号まで横方向に移動させる、
上記（１）に記載のシステム。
（６）前記磁気テープ読み取りヘッドを前記フォアグラウンド磁気トラック信号の一方の側に且つ前記フォアグラウンド磁気トラック信号の一方のエッジから離れるように全体的に横方向に移動させ、更に、前記フォアグラウンド磁気トラック信号を横切って横方向に移動させ、更に、前記フォアグラウンド磁気トラック信号の反対側に且つ前記フォアグラウンド磁気トラック信号の反対エッジから離れるように全体的に横方向に移動させる各ステージの間、前記バックグラウンド信号が前記磁気テープ読み取りヘッドによって読み取られるように前記磁気テープ読み取りヘッドが前記フォアグラウンド磁気トラック信号の幅よりも広い、上記（１）に記載のシステム。
（７）前記ロジックは、更に、
前記決定された横方向距離が磁気トラック信号における中心線相互間の名目上の距離よりも大きいかどうかを前記決定された横方向距離から決定し、
前記決定において肯定結果が得られた場合、前記フォアグラウンド磁気トラック信号の幅で磁気トラックを書き込み得る磁気テープ・ドライブの前記中心線を前記幅における磁気トラック間のシングリングに適合するように制御するための設定を前記サーボ・システムに施し、
前記決定において肯定結果が得られなかった場合、前記磁気テープ・ドライブの前記中心線を前記名目上の距離で制御するための設定を前記サーボ・システムに施す、
上記（１）に記載のシステム。
（８）コンピュータ可読プログラム・コードを組み込まれたプログラム可能コンピュータによって使用可能であり、バックグラウンド信号を有する磁気テープ上に長手方向に書き込まれ、前記バックグラウンド信号とは異なる信号から成るフォアグラウンド磁気トラック信号の幅を決定するためのコンピュータ・プログラムであって、
前記磁気テープ読み取りヘッドが前記フォアグラウンド磁気トラック信号及び前記バックグラウンド信号を読み取り得るように、前記磁気テープが前記磁気テープ読み取りヘッドに関して長手方向に移動するとき、前記長手方向に書き込まれたフォアグラウンド磁気トラック信号に関して横方向に磁気テープ読み取りヘッドをコンピュータ・プロセッサに移動させるコンピュータ可読プログラム・コードにして、前記横方向の移動は、前記磁気テープ読み取りヘッドが、少なくとも１回、前記フォアグラウンド磁気トラック信号の一方の側に且つ前記フォアグラウンド磁気トラック信号の一方のエッジから離れるように全体的に横方向に移動し、更に、前記フォアグラウンド磁気トラック信号を横切って横方向に移動し、更に、前記フォアグラウンド磁気トラック信号の反対側に且つ前記フォアグラウンド磁気トラック信号の反対エッジから離れるように全体的に横方向に移動し、それによって前記磁気テープ読み取りヘッドが前記異なる信号を読み取り得るような移動であり、独立位置センサが前記移動する磁気テープ読み取りヘッドの横方向位置を検出する、コンピュータ可読プログラム・コードと、
前記磁気テープ読み取りヘッドが前記フォアグラウンド磁気トラック信号の前記一方のエッジに遭遇したことをコンピュータ・プロセッサに検出させるコンピュータ可読プログラム・コードと、
前記独立位置センサから、前記フォアグラウンド磁気トラック信号の前記検出された一方のエッジにおける前記移動する磁気テープ読み取りヘッドの前記横方向位置をコンピュータ・プロセッサに決定させるコンピュータ可読プログラム・コードと、
前記磁気テープ読み取りヘッドが前記フォアグラウンド磁気トラック信号の前記反対エッジに遭遇したことをコンピュータ・プロセッサに検出させるコンピュータ可読プログラム・コードと、
前記独立位置センサから、前記フォアグラウンド磁気トラック信号の前記検出された反対エッジにおける前記移動する磁気テープ読み取りヘッドの前記横方向位置をコンピュータ・プロセッサに決定させるコンピュータ可読プログラム・コードと、
前記フォアグラウンド磁気トラック信号の前記検出された一方のエッジにおける前記移動する磁気テープ読み取りヘッドの前記決定された横方向位置と、前記フォアグラウンド磁気トラック信号の前記検出された反対エッジにおける前記移動する磁気テープ読み取りヘッドの前記決定された横方向位置との間の横方向距離をコンピュータ・プロセッサに決定させるコンピュータ可読プログラム・コードと、
を含む、コンピュータ・プログラム。
（９）前記磁気テープ読み取りヘッドが前記フォアグラウンド磁気トラック信号の前記一方のエッジに遭遇したことをコンピュータ・プロセッサに検出させる前記コンピュータ可読プログラム・コード及び前記独立位置センサから、前記フォアグラウンド磁気トラック信号の前記検出された一方のエッジにおける前記移動する磁気テープ読み取りヘッドの前記横方向位置をコンピュータ・プロセッサに決定させる前記コンピュータ可読プログラム・コードは、それぞれ、前記フォアグラウンド磁気トラック信号及び前記バックグラウンド信号の間の比率をコンピュータ・プロセッサに測定させるコンピュータ可読プログラム・コードを含み、
前記磁気テープ読み取りヘッドが前記フォアグラウンド磁気トラック信号の一方の側に且つ前記フォアグラウンド磁気トラック信号の一方のエッジから離れるように全体的に横方向に移動するときの前記比率、及び前記フォアグラウンド磁気トラック信号の反対側に且つ前記フォアグラウンド磁気トラック信号の反対エッジから離れるように全体的に横方向に移動するときの前記比率が、それぞれ、前記フォアグラウンド磁気トラック信号の最小値を表す、
上記（８）に記載のコンピュータ・プログラム。
（１０）前記磁気テープ読み取りヘッドが前記フォアグラウンド磁気トラック信号の前記一方のエッジに遭遇したことをコンピュータ・プロセッサに検出させる前記コンピュータ可読プログラム・コード及び前記磁気テープ読み取りヘッドが前記フォアグラウンド磁気トラック信号の前記反対エッジに遭遇したことをコンピュータ・プロセッサに検出させる前記コンピュータ可読プログラム・コードが、それぞれ、前記フォアグラウンド磁気トラック信号及び前記バックグラウンド信号の間の前記測定された比率における変曲点をコンピュータ・プロセッサに検出させるコンピュータ可読プログラム・コードを含む、上記（９）に記載のコンピュータ・プログラム。
（１１）前記長手方向に書き込まれたフォアグラウンド磁気トラック信号に関して横方向に磁気テープ読み取りヘッドをコンピュータ・プロセッサに移動させる前記コンピュータ可読プログラム・コードは、更に、前記磁気テープ読み取りヘッドが、少なくとも１回、前記フォアグラウンド磁気トラック信号の一方の側に且つ前記フォアグラウンド磁気トラック信号の一方のエッジから離れるように全体的に横方向に移動し、更に、前記フォアグラウンド磁気トラック信号を横切って横方向に移動し、更に、前記フォアグラウンド磁気トラック信号の反対側に且つ前記フォアグラウンド磁気トラック信号の反対エッジから離れるように全体的に横方向に移動するような所定の正弦波単一周波数パターンで変更されるセット・ポイントにおいてコンピュータ・プロセッサに前記磁気テープ読み取りヘッドを横方向に移動させるコンピュータ可読プログラム・コードを含み、
前記独立位置センサから、前記フォアグラウンド磁気トラック信号の前記検出された一方のエッジにおける前記移動する磁気テープ読み取りヘッドの前記横方向位置をコンピュータ・プロセッサに決定させる前記コンピュータ可読プログラム・コード及び前記フォアグラウンド磁気トラック信号の前記検出された反対エッジにおける前記移動する磁気テープ読み取りヘッドの前記横方向位置をコンピュータ・プロセッサに決定させる前記コンピュータ可読プログラム・コードは、更に、
ディジタル的に決定された前記横方向位置を周波数成分にコンピュータ・プロセッサに変換させるコンピュータ可読プログラム・コードと、
前記横方向位置の前記周波数成分から前記所定の正弦波単一周波数パターンをコンピュータ・プロセッサに選択させるコンピュータ可読プログラム・コードと、
前記横方向位置の周波数成分を独立位置センサの横方向位置にコンピュータ・プロセッサに変換させるコンピュータ可読プログラム・コードと、
前記磁気テープ読み取りヘッドからの前記フォアグラウンド磁気トラック信号及び前記バックグラウンド信号の間のディジタル的に決定された比率をコンピュータ・プロセッサに測定させるコンピュータ可読プログラム・コードと、
前記ディジタル的に決定された比率を周波数成分にコンピュータ・プロセッサに変換させるコンピュータ可読プログラム・コードと、
前記比率の前記周波数成分から前記所定の正弦波単一周波数パターンをコンピュータ・プロセッサに選択させるコンピュータ可読プログラム・コードと、
前記比率の周波数成分を前記フォアグラウンド磁気トラック信号及び前記バックグラウンド信号の比率にコンピュータ・プロセッサに変換させるコンピュータ可読プログラム・コードと、
前記所定の正弦波単一周波数パターンをコンピュータ・プロセッサに取り消させ、前記変換された独立位置センサの横方向位置に及び前記フォアグラウンド磁気トラック信号及び前記バックグラウンド信号の前記変換された比率に曲線をコンピュータ・プログラムに適合させるコンピュータ可読プログラム・コードと、
を含む、上記（１０）に記載のコンピュータ・プログラム。
（１２）前記磁気テープ読み取りヘッドはサーボ読み取りヘッドを含み、前記磁気テープは前記フォアグラウンド磁気トラック信号に平行な且つ前記フォアグラウンド磁気トラック信号から横方向に離れた少なくとも１つのサーボ・トラックを含み、
前記長手方向に書き込まれたフォアグラウンド磁気トラック信号に関して横方向に磁気テープ読み取りヘッドをコンピュータ・プロセッサに移動させる前記コンピュータ可読プログラム・コードは、前記独立位置センサによって測定されるように、前記サーボ読み取りヘッドを前記少なくとも１つのサーボ・トラックから前記フォアグラウンド磁気トラック信号まで横方向に移動させることを含む、
上記（８）に記載のコンピュータ・プログラム。
（１３）前記決定された横方向距離が磁気トラック信号における中心線相互間の名目上の距離よりも大きいかどうかを前記決定された横方向距離からコンピュータ・プロセッサに決定させるコンピュータ可読プログラム・コードと、
前記決定において肯定結果が得られた場合、前記フォアグラウンド磁気トラック信号の幅で磁気トラックを書き込み得る磁気テープ・ドライブの前記中心線を前記幅における磁気トラック間のシングリングに適合するように制御するための設定を前記サーボ・システムに対してコンピュータ・プロセッサに施させるコンピュータ可読プログラム・コードと、
前記決定において肯定結果が得られなかった場合、前記磁気テープ・ドライブの前記中心線を前記名目上の距離で制御するための設定を前記サーボ・システムに対してコンピュータ・プロセッサに施させるコンピュータ可読プログラム・コードと
を更に含む、上記（８）に記載のコンピュータ・プログラム。
（１４）バックグラウンド信号を有する磁気テープ上に長手方向に書き込まれ、前記バックグラウンド信号とは異なる信号から成るフォアグラウンド磁気トラック信号の幅を決定するための方法であって、
磁気テープ読み取りヘッドが前記フォアグラウンド磁気トラック信号及び前記バックグラウンド信号を読み取り得るように、前記磁気テープが前記磁気テープ読み取りヘッドに関して長手方向に移動するとき、前記長手方向に書き込まれたフォアグラウンド磁気トラック信号に関して磁気テープ読み取りヘッドを横方向に移動させるステップにして、前記横方向の移動は、前記磁気テープ読み取りヘッドが、少なくとも１回、前記フォアグラウンド磁気トラック信号の一方の側に且つ前記フォアグラウンド磁気トラック信号の一方のエッジから離れるように全体的に横方向に移動し、更に、前記フォアグラウンド磁気トラック信号を横切って横方向に移動し、更に、前記フォアグラウンド磁気トラック信号の反対側に且つ前記フォアグラウンド磁気トラック信号の反対エッジから離れるように全体的に横方向に移動し、それによって前記磁気テープ読み取りヘッドが前記異なる信号を読み取るような移動である、ステップと、
独立位置センサを介して前記移動する磁気テープ読み取りヘッドの横方向位置を検出するステップと、
前記磁気テープ読み取りヘッドが前記フォアグラウンド磁気トラック信号の前記一方のエッジに遭遇したことを検出するステップと、
前記独立位置センサから、前記フォアグラウンド磁気トラック信号の前記検出された一方のエッジにおける前記移動する磁気テープ読み取りヘッドの前記横方向位置を決定するステップと、
前記磁気テープ読み取りヘッドが前記フォアグラウンド磁気トラック信号の前記反対エッジに遭遇したことを検出するステップと、
前記独立位置センサから、前記フォアグラウンド磁気トラック信号の前記検出された反対エッジにおける前記移動する磁気テープ読み取りヘッドの前記横方向位置を決定するステップと、
前記フォアグラウンド磁気トラック信号の前記検出された一方のエッジにおける前記移動する磁気テープ読み取りヘッドの前記決定された横方向位置と、前記フォアグラウンド磁気トラック信号の前記検出された反対エッジにおける前記移動する磁気テープ読み取りヘッドの前記決定された横方向位置との間の横方向距離を決定するステップと、
を含む、方法。
（１５）前記磁気テープ読み取りヘッドが前記フォアグラウンド磁気トラック信号の前記一方のエッジに遭遇したことを検出する前記ステップ及び前記磁気テープ読み取りヘッドが前記フォアグラウンド磁気トラック信号の前記反対エッジに遭遇したことを検出する前記ステップが、それぞれ、前記フォアグラウンド磁気トラック信号及び前記バックグラウンド信号の間の比率を測定するステップを含み、
前記磁気テープ読み取りヘッドが前記フォアグラウンド磁気トラック信号の前記一方の側に且つ前記フォアグラウンド磁気トラック信号の前記一方のエッジから離れるように全体的に横方向に移動するときの前記比率、及び前記フォアグラウンド磁気トラック信号の前記反対側に且つ前記フォアグラウンド磁気トラック信号の前記反対エッジから離れるように全体的に横方向に移動するときの前記比率が、それぞれ、前記フォアグラウンド磁気トラック信号の最小値を表す、
上記（１４）に記載の方法。
（１６）前記磁気テープ読み取りヘッドが前記フォアグラウンド磁気トラック信号の前記一方のエッジに遭遇したことを検出する前記ステップ、及び前記フォアグラウンド磁気トラック信号の前記反対エッジに遭遇したことを検出する前記ステップは、それぞれ、前記フォアグラウンド磁気トラック信号及び前記バックグラウンド信号の間の前記測定された比率における変曲点を検出するステップを含む、上記（１５）に記載の方法。
（１７）前記長手方向に書き込まれたフォアグラウンド磁気トラック信号に関して横方向に磁気テープ読み取りヘッドを移動させる前記ステップは、前記磁気テープ読み取りヘッドが、少なくとも１回、前記フォアグラウンド磁気トラック信号の一方の側に且つ前記フォアグラウンド磁気トラック信号の一方のエッジから離れるように全体的に横方向に移動し、更に、前記フォアグラウンド磁気トラック信号を横切って横方向に移動し、更に、前記フォアグラウンド磁気トラック信号の反対側に且つ前記フォアグラウンド磁気トラック信号の反対エッジから離れるように全体的に横方向に移動するような所定の正弦波状単一周波数パターンで変更されるセット・ポイントでサーボ・システムを操作し、
独立位置センサを介して前記移動する磁気テープ読み取りヘッドの横方向位置を検出するステップは、更に、
前記横方向位置をディジタル的に決定するステップと、
前記ディジタル的に決定された横方向位置を周波数成分に変換するステップと、
前記横方向位置の前記周波数成分から前記所定の正弦波状単一周波数パターンを選択するステップと、
前記横方向位置の周波数成分を独立位置センサの横方向位置に変換するステップと、
前記磁気テープ読み取りヘッドからの前記フォアグラウンド磁気トラック信号及び前記バックグラウンド信号の間のディジタル的に決定された比率を測定するステップと、
前記ディジタル的に決定された比率を周波数成分に変換するステップと、
前記比率の前記周波数成分から前記所定の正弦波状単一周波数パターンを選択するステップと、
前記比率の周波数成分を前記フォアグラウンド磁気トラック信号及び前記バックグラウンド信号の比率に変換するステップと、
前記所定の正弦波状単一周波数パターンを取り消し、前記変換された独立位置センサの横方向位置に及び前記フォアグラウンド磁気トラック信号及び前記バックグラウンド信号の前記変換された比率に曲線を適合させるステップと、
を含む、上記（１５）に記載の方法。
（１８）前記磁気テープ読み取りヘッドはサーボ読み取りヘッドを含み、前記磁気テープは更に前記フォアグラウンド磁気トラック信号に平行な且つ前記フォアグラウンド磁気トラック信号から横方向に離れた少なくとも１つのサーボ・トラックを含み、
前記長手方向に書き込まれたフォアグラウンド磁気トラック信号に関して横方向に磁気テープ読み取りヘッドを移動させる前記ステップは、更に、前記独立位置センサによって測定されるように、前記サーボ読み取りヘッドを前記少なくとも１つのサーボ・トラックから前記フォアグラウンド磁気トラック信号まで横方向に移動させる、
上記（１４）に記載の方法。
（１９）前記長手方向に書き込まれたフォアグラウンド磁気トラック信号に関して磁気テープ読み取りヘッドを横方向に移動させる前記ステップのうち、前記磁気テープ読み取りヘッドを前記フォアグラウンド磁気トラック信号の一方の側に且つ前記フォアグラウンド磁気トラック信号の一方のエッジから離れるように全体的に横方向に移動させ、更に、前記フォアグラウンド磁気トラック信号を横切って横方向に移動させ、更に、前記フォアグラウンド磁気トラック信号の反対側に且つ前記フォアグラウンド磁気トラック信号の反対エッジから離れるように全体的に横方向に移動させる各ステージの間、前記バックグラウンド信号が前記磁気テープ読み取りヘッドによって読み取られるように前記磁気テープ読み取りヘッドが前記フォアグラウンド磁気トラック信号の幅よりも広い、上記（１４記載の方法。
（２０）前記決定された横方向距離が磁気トラック信号における中心線相互間の名目上の距離よりも大きいかどうかを前記決定された横方向距離から決定するステップと、
前記決定において肯定結果が得られた場合、前記フォアグラウンド磁気トラック信号の幅で磁気トラックを書き込み得る磁気テープ・ドライブの前記中心線を前記幅における磁気トラック間のシングリングに適合するように制御するための設定を前記サーボ・システムに施すステップと、
前記決定において肯定結果が得られなかった場合、それが肯定されない場合、前記磁気テープ・ドライブの前記中心線を前記名目上の距離で制御するための設定を前記サーボ・システムに施すステップと、
を更に含む、上記（１４）に記載の方法。
【図面の簡単な説明】
【００７９】
【図１】本発明を実装する磁気テープ・システムの実施例に関するブロック図である。
【図２】磁気テープ上に長手方向に書き込まれたフォアグラウンド磁気トラック信号を有する或る長さの磁気テープの概略的表示である。なお、磁気テープは、トラック信号に関して横方向の読み取りヘッドの移動を示すバックグラウンド信号、検出されたフォアグラウンド信号又は読み取りヘッドによって検出されたフォアグラウンド信号対バックグラウンド信号の比率、及び独立位置センサの信号を有する。
【図３】本発明の方法の実施例を示すフローチャートである。
【図４】図１の磁気テープ・システムにおける独立位置センサの位置の概略的表示である。なお、磁気テープ・システムでは、磁気テープが横方向の移動を二者択一的に受け、所定の正弦波単一周波数パターンが読み取りヘッドの横方向移動に加えられる。
【図５】図１の磁気テープ・システムの読み取りヘッドによって検出されたフォアグラウンド信号対バックグラウンド信号の比率の概略的表示である。この磁気テープ・システムでは、磁気テープが横方向の移動を二者択一的に受け、所定の正弦波単一周波数パターンが読み取りヘッドの横方向移動に加えられる。
【図６】図４の独立位置センサの横方向位置の周波数ドメインの概略的表示である。
【図７】図５のフォアグラウンド信号対バックグラウンド信号の比率の周波数ドメインの概略的表示である。
【図８】図６における独立位置センサの横方向位置の概略的表示であり、それは、所定の正弦波単一周波数パターンが選択された周波数成分に変換される。
【図９】図７におけるフォアグラウンド信号対バックグラウンド信号の比率の概略的表示であり、それは、所定の正弦波単一周波数パターンが選択された周波数成分に変換される。
【図１０】図８の選択された周波数成分から変換された曲線適合した変換済みの独立位置センサの横方向位置の概略的表示である。
【図１１】図１０の選択された周波数成分から変換されたフォアグラウンド信号対バックグラウンド信号の曲線適合した変換済みの比率の概略的表示である。
【図１２】磁気テープに書き込まれた種々の幅の磁気トラックの概略的表示である。
【図１３】磁気テープに書き込まれた種々の幅の磁気トラックの概略的表示である。
【図１４】種々のインデックス位置における図１の磁気テープ・システムにおけるサーボ・ヘッドの実施例の概略的表示である。この磁気テープ・システムは、図２に示されたようなトラック信号に関して横方向に移動するために使用される。
【図１】
2004213873.tif 000003
【図２】
2004213873.tif 000004
【図３】
2004213873.tif 000005
【図４】
2004213873.tif 000006
【図５】
2004213873.tif 000007
【図６】
2004213873.tif 000008
【図７】
2004213873.tif 000009
【図８】
2004213873.tif 000010
【図９】
2004213873.tif 000011
【図１０】
2004213873.tif 000012
【図１１】
2004213873.tif 000013
【図１２】
2004213873.tif 000014
【図１３】
2004213873.tif 000015
【図１４】
2004213873.tif 000016